(57)【要約】【課題】原稿から読み取られた各画像の順序の補正を実行する画像読取装置において、補正処理完了を早める。【解決手段】複合機１００は、原稿の両面から原稿面の画像を原稿面毎に読み取る読取処理を行い、頁番号認定部２００および表示制御部２０１を有する。頁番号認定部２００は、利用者によって順序補正コマンドが入力されていないコマンド無状態の場合、各画像の読み取り順に基づいて各画像の頁番号を認定する。また、頁番号認定部２００は、利用者によって順序補正コマンドが入力されているコマンド有状態の場合、各画像の順序が前記コマンド無状態にて決定される頁番号に基づく順序に対して逆順になるように、各画像の頁番号を認定する。表示制御部２０１は、前記読取処理の完了前に、前記順序補正コマンドの入力を行うためのコマンド入力用画像の表示を画像表示装置１０４に開始させる。【選択図】図１
2010124215.tif 000002
【特許請求の範囲】
【請求項１】
原稿の両面から原稿面の画像を原稿面毎に読み取る読取処理を行う画像読取装置において、
（ａ）利用者によって順序補正コマンドが入力されていないコマンド無状態の場合、読み取られた各画像の読み取り順に基づいて各画像の順序を決定し、（ｂ）利用者によって順序補正コマンドが入力されているコマンド有状態の場合、各画像の順序を、前記コマンド無状態にて決定される順序とは逆の順序になるように決定する順序決定部と、
前記読取処理の完了前に、前記順序補正コマンドの入力を行うためのコマンド入力用画像の表示を表示装置に開始させる表示制御部とを含むことを特徴とする画像読取装置。
【請求項２】
前記読取処理は複数の原稿から前記画像を読み取るジョブであり、
前記表示制御部は、最初に読み取られた原稿のプレビューを前記表示装置に表示させることを特徴とする請求項１に記載の画像読取装置。
【請求項３】
前記表示制御部は、前記読取処理における処理対象の原稿枚数が所定枚数以下である場合、前記読取処理の終了後に、前記プレビューと前記コマンド入力用画像とを前記表示装置に表示させることを特徴とする請求項２に記載の画像読取装置。
【請求項４】
前記表示制御部は、前記コマンド入力用画像を表示させるモードが利用者によって設定されている場合に限り、前記コマンド入力用画像を表示装置に表示させることを特徴とする請求項１から３のいずれか１項に記載の画像読取装置。
【請求項５】
請求項１から４のいずれか１項に記載の画像読取装置を備えたことを特徴とする画像形成装置。
【請求項６】
原稿の両面から原稿面の画像を原稿面毎に読み取る読取処理を行う画像読取装置の制御方法において、
（ａ）利用者によって順序補正コマンドが入力されていないコマンド無状態の場合、読み取られた各画像の読み取り順に基づいて各画像の順序を決定し、（ｂ）利用者によって順序補正コマンドが入力されているコマンド有状態の場合、各画像の順序を、前記コマンド無状態にて決定される順序とは逆の順序になるように決定する工程と、
前記読取処理の完了前に、前記順序補正コマンドの入力を行うためのコマンド入力用画像の表示を表示装置に開始させる工程とを含むことを特徴とする画像読取装置の制御方法。
【請求項７】
請求項１から４のいずれか１項に記載の画像読取装置を制御するための制御プログラムであり、コンピュータを前記画像読取装置の各部として動作させる制御プログラム。
【請求項８】
請求項７に記載の制御プログラムを記録したコンピュータ読み取り可能な記録媒体。
【発明の詳細な説明】
【技術分野】
【０００１】
本発明は、両面原稿を読み取って画像データを生成する画像読取装置に関する。
【背景技術】
【０００２】
原稿の読み取りを行うスキャナとして、原稿台に置かれた原稿から画像を読み取るタイプ、原稿搬送機構を備えておりトレイから搬送される原稿の片面から画像を読み取るタイプ、トレイから搬送される原稿の両面の画像を同時に読み取るタイプなどがある。これらのスキャナは、例えば、コピー機能・プリンタ機能・ファクシミリ送信受信機能・ファイリング機能・scan to e-mail機能等を有する複合機に備えられている。そして、複合機は、利用者からの指示に応じて、前記原稿から読み取られた画像を印刷する処理、前記画像をファクシミリ送信する処理、前記画像をメールに添付して送信する処理、あるいは、自機のハードディスクに前記画像をファイリングする処理を実行する。
【０００３】
複数枚の両面原稿から画像の読み取りを行って得られる画像ファイルの送信等を行う場合、トレイにおける原稿の積載順序を逆にしてしまう場合がある（誤って逆にしてしまう）。前記積載順序を逆にしてしまうと、電子化された画像ファイルにおける各画像の順序（頁番号に基づく順序）は真の順序とは逆になるので、再度、原稿をトレイに配置して原稿の読み取りを行わなければならず、無駄な作業が発生してしまう。そして、このような無駄な作業の発生を抑制するために特許文献１は下記の技術を開示する。
【０００４】
原稿の両面の画像を交互に読み取って、全画像を記憶部に記憶させる。このとき、１頁目が白紙であるか否かの判定を行い、１頁目が白紙である場合には、すべての奇数頁における画像データに占める白色データの割合を検知し、奇数頁が白紙であるか否かの判定を行う。奇数頁が白紙ではないと判断された場合には、両面に画像を有する原稿の積載順序が逆にセットされたと判断し（すなわち読み取られた各画像の順序が真の順序と逆になっている）、各画像の順序（頁番号に基づく順序）を逆にする補正処理（反転処理）を行い、補正処理後の各画像を記憶部に保存するか、あるいは、補正処理後の各画像に基づいて印字出力を行う。
【０００５】
例えば、補正処理前において、画像ａが１頁目，画像ｂが２頁目，画像ｃが３頁目であるような場合、補正処理を施すと、画像ｃが１頁目，画像ｂが２頁目，画像ａが３頁目になる。
【０００６】
また、１頁目が白紙でないと判断された場合、すべての偶数頁における画像データに占める白色データの割合を検知し、偶数頁が白紙であるか否かの判断を行う。そして、偶数頁が白紙でないと判断された場合には、両面に画像を有する原稿がセットされたと考えられるが、各画像の順序の正否をこの時点で自動判定することは困難なため、記憶部に記憶されている１頁目の画像を読み出して表示部に表示させ、真に１頁目の画像であるか否かの確認を使用者に求めている。
【特許文献１】特開２００１−２５１４８３号公報（公開日：２００１年０９月１４日）
【発明の開示】
【発明が解決しようとする課題】
【０００７】
ところで、原稿をトレイに積載した後且つスキャンが完了する前において、原稿の積載順序に誤りがある事に利用者が気づく場合もある。この場合であっても、そのままスキャンを複合機に行わせ、さらに複合機が前記補正処理を行えば、利用者は原稿を載置し直す手間を省くことができる。
【０００８】
しかし、特許文献１の構成によれば、原稿をトレイ積載した後且つスキャンが完了する前において利用者が原稿の積載順序に誤りがあることに気づいているときでも（つまり、前記補正処理の必要性に気づいているときでも）、読取処理の完了後に全ての奇数頁または全ての偶数頁について白紙であるか否かの判定処理（データ処理）が必ず行われてから前記補正処理が行われるようになっている。それゆえ、読取処理が完了してから前記補正処理が行われるまでかなりの時間を要することになり、補正処理完了までに時間を要するという問題があった。
【０００９】
本発明は、前記問題を解決するためになされたものであり、原稿から読み取られた各画像の順序の補正を実行する画像読取装置において、従来よりも補正処理完了を早めることを目的とする。
【課題を解決するための手段】
【００１０】
以上の目的を達成するために、本発明は、原稿の両面から原稿面の画像を原稿面毎に読み取る読取処理を行う画像読取装置において、（ａ）利用者によって順序補正コマンドが入力されていないコマンド無状態の場合、読み取られた各画像の読み取り順に基づいて各画像の順序を決定し、（ｂ）利用者によって順序補正コマンドが入力されているコマンド有状態の場合、各画像の順序を、前記コマンド無状態にて決定される順序とは逆の順序になるように決定する順序決定部と、前記読取処理の完了前に、前記順序補正コマンドの入力を行うためのコマンド入力用画像の表示を表示装置に開始させる表示制御部とを含むことを特徴とする。
【００１１】
本発明の構成によれば、前記各画像の順序の補正を行う必要がある事に利用者が気づいている場合、当該利用者が前記順序補正コマンドを入力することによって、各画像の順序の補正が行われるようになっている。さらに、前記構成によれば、前記読取処理の完了前に利用者が前記補正の必要性に気づいている場合、前記読取処理の完了前であっても前記順序補正コマンドの入力が可能であるため、前記読取処理の完了前、または前記読取処理の完了後すぐに、前記補正を実行することが可能になる。それゆえ、読取処理が完了してから補正処理が開始されるまでかなりの時間を要する特許文献１の構成よりも、補正処理完了を早めることが可能となる。
【００１２】
本発明の画像読取装置は、前記構成に加えて、前記読取処理は複数の原稿から前記画像を読み取るジョブであり、前記表示制御部が、最初に読み取られた原稿のプレビューを前記表示装置に表示させる構成であってもよい。この構成によれば、最初に読み取られた原稿のプレビューを表示するため、利用者からすれば各画像の順序の誤りに気づき易くなるというメリットがある。なお、前記構成によれば、プレビュー表示の対象を最初に読み取られた原稿にしているため、全ての原稿の読み取り完了前であってもプレビュー表示処理が実行可能となる。したがって、利用者は、全ての原稿の読み取り完了前に、各画像の順序の正誤を前記プレビューにて確認した上で前記順序補正コマンドの入力を行うことが可能となり、迅速に処理を進めることができる。
【００１３】
なお、最初に読み取られた原稿のプレビューとは、両面同時読取方式のスキャナにて読取処理が行われる場合、最初に読み取られた原稿の表面のプレビューおよび裏面のプレビューのうちのいずれか一方であってもよいし、両方であってもよい。また、片面読取方式のスキャナにて読取処理が行われる場合、最初に読み取られた原稿のプレビューとは当該原稿の片面のプレビューとなる。
【００１４】
また、前記読取処理における処理対象の原稿枚数が少ない場合、前記読取処理はすぐに完了してしまう。つまり、処理対象の原稿枚数が少ないと、利用者は読取処理中においてトレイの原稿の積載順を確認する機会がない。それゆえ、読取処理開始前にトレイの原稿の積載順を確認しておらず、且つ、読取処理対象の原稿枚数が少ないために読取処理中にトレイの原稿の積載順を確認する機会がなかった場合、利用者は、前記補正の要否の確認ができず、補正コマンドの入力の是非がわからないといった事態も起こり得る。
【００１５】
そこで、本発明の画像読取装置においては、前記構成に加えて、前記読取処理における処理対象の原稿枚数が所定枚数以下である場合、前記表示制御部が、前記読取処理の終了後に、前記プレビューと前記コマンド入力用画像とを前記表示装置に表示させるようになっていることが好ましい。この構成によれば、読取処理の終了後であっても、原稿の順序の正否の確認を行うことが可能になる。それゆえ、読取処理開始前にトレイの原稿の積載順を確認しておらず、且つ、読取処理対象の原稿枚数が少ないために読取処理中にトレイの原稿の積載順を確認する機会がなかった場合であっても、前記補正の要否の判断が容易となる。
【００１６】
本発明の画像読取装置において、前記表示制御部は、前記コマンド入力用画像を表示させるモードが利用者によって設定されている場合に限り、前記コマンド入力用画像を表示装置に表示させる構成であってもよい。本発明の構成によれば、前記順序補正コマンドの入力が必要な場合は前記コマンド入力用画像を表示装置に表示させなければならない。しかし、前記各画像の順序の補正が不要である事に利用者が気づいている場合にまで前記コマンド入力用画像を表示装置に表示させると、不要な情報を表示装置に表示させることになり、表示装置の表示内容が煩雑になってしまう。この点、本発明の構成によれば、利用者の要求に応じて前記コマンド入力用画像の表示の有無を切り替えることが可能となるため、前記補正が不要であると利用者が考えているときは前記コマンド入力用画像の表示を禁止でき、表示装置の表示内容が煩雑になってしまうことを抑制できる。
【００１７】
また、本発明の画像形成装置は前述した画像読取装置を備えていることを特徴としている。
【００１８】
さらに、本発明は、原稿の両面から原稿面の画像を原稿面毎に読み取る読取処理を行う画像読取装置の制御方法において、（ａ）利用者によって順序補正コマンドが入力されていないコマンド無状態の場合、読み取られた各画像の読み取り順に基づいて各画像の順序を決定し、（ｂ）利用者によって順序補正コマンドが入力されているコマンド有状態の場合、各画像の順序を、前記コマンド無状態にて決定される順序とは逆の順序になるように決定する工程と、前記読取処理の完了前に、前記順序補正コマンドの入力を行うためのコマンド入力用画像の表示を表示装置に開始させる工程とを含む制御方法であってもよい。
【００１９】
さらに、本発明の画像読取装置はコンピュータによって実現されてもよく、この場合には、コンピュータを前記画像読取装置の各部として動作させる制御プログラム、および、該制御プログラムを記録したコンピュータ読み取り可能な記録媒体も、本発明の範疇に入る。
【発明の効果】
【００２０】
以上のように、本発明は、原稿の両面から原稿面の画像を原稿面毎に読み取る読取処理を行う画像読取装置において、（ａ）利用者によって順序補正コマンドが入力されていないコマンド無状態の場合、読み取られた各画像の読み取り順に基づいて各画像の順序を決定し、（ｂ）利用者によって順序補正コマンドが入力されているコマンド有状態の場合、各画像の順序を、前記コマンド無状態にて決定される順序とは逆の順序になるように決定する順序決定部と、前記読取処理の完了前に、前記順序補正コマンドの入力を行うためのコマンド入力用画像の表示を表示装置に開始させる表示制御部とを含むことを特徴とする。それゆえ、読取処理が完了してから補正処理が行われるまでかなりの時間を要する特許文献１の構成よりも、補正処理完了を早めることが可能となる。
【発明を実施するための最良の形態】
【００２１】
〔実施の形態１〕
本発明の一実施形態を図に基づいて説明する。図１は、本実施形態の複合機（画像読取装置，画像形成装置）を示したブロック図である。
【００２２】
複合機１００は、プリント処理、複写処理、ファクシミリ送受信処理、イメージ送信処理を少なくとも実行可能な装置である。つまり、複合機１００は、スキャン機能を奏する画像読取装置および印刷機能を備えた画像形成装置の両装置に相当するものである。
【００２３】
なお、イメージ送信処理とは、原稿から読み取られた画像が示されているデータを電子メールに添付して指定されたアドレスへ送信する処理、原稿から読み取られた画像を示すデータを所定のフォルダまたは複合機１００に装着されたＵＳＢメモリなどに送信する処理を意味する。
【００２４】
複合機１００は、図１に示すように、画像入力装置１０１、画像処理装置１０２、画像出力装置１０３、画像表示装置１０４、受信装置１０５、送信装置１０６、記憶装置１０７、制御部１０８を有する。
【００２５】
制御部１０８は、ＣＰＵ（Central Processing Unit）あるいはＤＳＰ（Digital Signal Processor）等のプロセッサを含むコンピュータである。この制御部１０８は、複合機１００に備えられる各種ハードウェアを統括的に制御し、複合機１００に備えられる各ハードウェア間のデータ転送を制御するものである。
【００２６】
また、図１に示されるように、本実施形態の制御部１０８は頁番号認定部２００および表示制御部２０１を有している。頁番号認定部２００および表示制御部２０１については後で詳述する。
【００２７】
画像入力装置１０１は、原稿を読み取って画像データを生成する画像読取手段である。より具体的に説明すると、画像入力装置１０１は、ＣＣＤ（Charge Coupled Device）を含むスキャナ部を有し、原稿から反射してきた光に基づき、当該原稿の画像を示した画像データを生成するものである。
【００２８】
また、本実施形態の画像入力装置１０１は、図２に示されるように、搬送されている原稿の一方の原稿面の画像と他方の原稿面の画像とを同時に読み取り可能な両面同時読取式のスキャナである。なお、以下では、単に「原稿」と称する場合、両面に画像の形成された両面原稿を指すものとする。
【００２９】
画像入力装置１０１は、図２に示すように、原稿セットトレイ１２２と第１読取部１１０と第２読取部１２３と原稿搬送路１３３とを有する。原稿セットトレイ１２２には、読み取り対象とされる複数の原稿の組が積載されるようになっている。
【００３０】
そして、積載されている複数の原稿のうち、最も下側に位置する原稿が１枚づつ順に原稿搬送路１３３に搬送されるようになっている。なお、画像入力装置１０１において、原稿は原稿セットトレイ１２２から原稿搬送路１３３を経由して排紙トレイ２３３に搬送されるようになっているが、原稿の表裏が反転されることなく当該搬送が実行されるようになっている。第１読取部１１０は、原稿搬送路１３３の下側に配置されており、原稿搬送路１３３にて搬送されている原稿の下側の面の画像を読み取るようになっている。また、第２読取部１２３は、原稿搬送路１３３の上側に配置されており、原稿搬送路１３３にて搬送されている原稿における上側の面の画像を読み取るようになっている。
【００３１】
つまり、１頁目側を下側に向けて最終頁側を上側に向け、頁番号の小さな原稿面ほど下側に配されるように複数の原稿の組を原稿セットトレイ１２２に積載し、当該複数の原稿の画像を画像入力装置１０１に読み取らせた場合、第１読取部１１０は頁番号の小さな順に奇数頁の原稿面の画像を順に読み取り、第２読取部１２３は頁番号の小さな順に偶数頁の原稿面の画像を順に読み取るようになっている。なお、後に、画像入力装置１０１の構成について、より詳細に説明する。
【００３２】
画像処理装置１０２は、画像処理を施す集積回路であり、ＡＳＩＣ（Application specific integrated circuit）から構成されるものである。この画像処理装置１０２は、画像入力装置１０１にて生成された画像データに対して必要な処理（シェーディング補正等）を施した上で当該画像データを一旦記憶装置１０７に保存する処理を行う。また、画像処理装置１０２は、記憶装置１０７に保存されている画像データを入力し、当該画像データに対して、後の出力処理（印刷または送信）に必要となるデジタル画像処理を施し、当該画像データを画像出力装置１０３または送信装置１０６に送るようになっている。
【００３３】
なお、本実施形態において、画像データとは、スキャナ（画像入力装置１０１等）における１回の画像読取ジョブにて読み取られる全原稿の画像を示したデータを意味する。例えば、１回の画像読取ジョブの読み取り対象が１枚の原稿である場合、画像データには１頁目の画像と２頁目の画像とが示される。また、１回の画像読取ジョブの読み取り対象が２枚の原稿の組である場合、画像データには１頁目の画像と２頁目の画像と３頁目の画像と４頁目の画像とが示される。
【００３４】
画像出力装置（プリンタ）１０３は、画像処理装置１０２から送られてきた画像データに示される画像を記録媒体（例えば紙等）上に印刷（形成）するものであり、例えば、電子写真方式またはインクジェット方式を用いたカラープリンタを挙げることができる。
【００３５】
画像表示装置１０４は、複合機１００の操作パネル（不図示）に備えられている液晶ディスプレイであり、カラー画像の表示が可能な表示手段である。また、画像表示装置１０４は、タッチパネルに覆われており、複合機１００の入力インターフェイスとしての機能を有している。つまり、画像表示装置１０４には、複合機１００に対して各種コマンドの入力を行うためのＧＵＩ（グラフィカルユーザインターフェイス）や操作ガイドが表示される。
【００３６】
受信装置１０５は、電話回線またはインターネットに接続しており、ファクシミリ通信によって外部装置から画像データを受信する装置である。具体的に、受信装置１０５は、外部装置から画像データを受信すると、この受信した画像データを記憶装置１０７に保存する。
【００３７】
送信装置１０６は、電話回線またはインターネットに接続しており、画像入力装置１０１にて入力され且つ画像処理装置１０２にて処理された画像データをファクシミリ通信によって外部装置へ送信する装置である。
【００３８】
記憶装置１０７は、複合機１００にて扱われる画像データを保存するためのハードディスク装置である。
【００３９】
以上の構成において、複写処理時には、画像入力装置１０１によって原稿から画像データが生成され、画像処理装置１０２によって当該画像データに対して画像処理が施され、この画像データが一旦記憶装置１０７に保存される。そして、画像処理装置１０２が、この画像データを読み出して、印刷処理を行う上で必要となる画像処理を行い、処理後の画像データが画像出力装置１０３に送られ、印刷処理が実行される。
【００４０】
ファクシミリ送信処理時には、画像入力装置１０１によって原稿から画像データが生成され、画像処理装置１０２によって当該画像データに対して画像処理が施され、この画像データが一旦記憶装置１０７に保存される。そして、画像処理装置１０２が、この画像データを読み出してファクシミリ送信を行う上で必要となる処理を施し、その後、当該画像データを送信装置１０６に送る。そして、送信装置１０６によってファクシミリ送信が実行される。
【００４１】
ファクシミリ受信処理時には、受信装置１０５が外部装置から画像データを受信し、この画像データが一旦記憶装置１０７に保存される。そして、画像処理装置１０２が、この画像データを読み出して画像処理を行い、処理後の画像データが画像出力装置１０３に送られ、印刷処理が実行される。
【００４２】
イメージ送信処理時には、画像入力装置１０１によって原稿から画像データが生成され、画像処理装置１０２によって当該画像データに対して画像処理が施され、この画像データが一旦記憶装置１０７に保存される。そして、画像処理装置１０２が、この画像データを読み出して、イメージ送信処理を行う上で必要となる画像処理を行い、処理後の画像データをフォーマット変換部（不図示）へ送信する。そして、フォーマット変換部にて、前記画像データは所定の形式の画像ファイル（ＰＤＦファイル，ＴＩＦＦファイル）に変換され、変換後の画像ファイルが指定されたアドレス、フォルダ、ＵＳＢメモリなどへ送信されるようになっている。
【００４３】
つぎに、制御部１０８に備えられる頁番号認定部２００と表示制御部２０１とについて詳細に説明する。なお、以下では、イメージ送信処理時における頁番号認定部２００および表示制御部２０１の処理内容について説明する。
【００４４】
頁番号認定部２００は、複数の原稿から生成された画像データにおける各画像の頁番号の認定を行うブロックである。例えば、３枚の原稿から画像データが生成される場合、画像データには、１枚目原稿の表面の画像と、１枚目原稿の裏面の画像と、２枚目原稿の表面の画像と、２枚目原稿の裏面の画像と、３枚目原稿の表面の画像と、３枚目原稿の裏面の画像との６つの画像が示されることになる。そして、この６つの画像について１頁〜６頁の頁番号を認定する。
【００４５】
より具体的に説明すると、画像入力装置１０１にて原稿から画像が読み取られると、頁番号認定部２００は、図３に示すように、第１読取部１１０によって読み取られた各画像については記憶装置１０７における記憶領域ａに保存し、第２読取部１２３によって読み取られた各画像については記憶装置１０７における記憶領域ｂに保存する処理を行う。
【００４６】
さらに、頁番号認定部２００は、図３に示すように、記憶領域ａに保存されている各画像に対して奇数番号を示すインデックスを対応付け、記憶領域ｂに保存されている各画像に対して偶数番号を示すインデックスを対応付ける。但し、頁番号認定部２００は、読み取られた順序が先の画像ほど番号の小さなインデックスを対応付けるようにしている。つまり、最初に第１読取部１１０にて読み取られた画像には、１番のインデックスである「ＩＤ１」が対応付けられ、次に第１読取部１１０にて読み取られた画像には３番のインデックスである「ＩＤ３」が対応付けられることになる。
【００４７】
例えば、４枚の原稿の組があり、この原稿の組においては、図３に示すように、１頁目に「Ａ」、２頁目に「Ｂ」、３頁目に「Ｃ」、４頁目に「Ｄ」、５頁目に「Ｅ」、６頁目に「Ｆ」、７頁目に「Ｇ」、８頁目に「Ｈ」の文字が記載されているものとする。そして、正しい積載順序にて前記した４枚の原稿の組を原稿セットトレイ１２２に積載したものとする。つまり、１頁目側を下側に向けて最終頁側を上側に向け、頁番号の小さな原稿面ほど下側に配されるように前記原稿の組を原稿セットトレイ１２２に積載する。そして、前記原稿の組の画像を画像入力装置１０１に読み取らせると、ｎ頁目の画像にｎ番のインデックスが対応付けられることになる。つまり、図３に示されるように、「Ａ」が記載されている１頁目の画像には１番のインデックスが対応付けられ、「Ｂ」が記載されている２頁目の画像には２番のインデックスが対応付けられ、「Ｃ」が記載されている３頁目の画像には３番のインデックスが対応付けられ、「Ｈ」が記載されている８頁目の画像には８番のインデックスが対応付けられている。
【００４８】
これに対し、正しい積載順序とは逆の積載順序にて前記した４枚の原稿の組を原稿セットトレイ１２２に積載したものとする。つまり、１頁目側を上側に向けて最終頁側を下側に向け、頁番号の小さな原稿面ほど上側に配されるように前記原稿の組を原稿セットトレイ１２２に積載したものとする。この場合、ｎ頁目の画像にｎ番のインデックスは対応付けられず、頁番号の大きな画像ほど小さい番号のインデックスが対応付けられることになる。つまり、図４に示されるように、「Ｈ」が記載されている８頁目の画像には１番のインデックスが対応付けられ、「Ｇ」が記載されている７頁目の画像には２番のインデックスが対応付けられ、「Ｆ」が記載されている６頁目の画像には３番のインデックスが対応付けられ、「Ａ」が記載されている１頁目の画像には８番のインデックスが対応付けられていることになる。
【００４９】
画像入力装置１０１にて生成された画像データの全画像が記憶領域ａ・ｂに保存された後、頁番号認定部２００は、記憶領域ａ・ｂに保存されている各画像の頁番号を認定し、認定した頁番号の小さい順に各画像を記憶領域ａ・ｂから読み出す。そして、読み出された各画像は画像処理装置１０２を経由してフォーマット変換部に送信され、フォーマット変換部は前記各画像が編集された画像ファイルを作成する。ここで、画像ファイルにおける各画像の頁番号は頁番号認定部２００に読み出された順番となる。つまり、頁番号認定部２００にて認定された各画像の頁番号は前記画像ファイルにおける各画像の頁番号になる。
【００５０】
つぎに、頁番号認定部２００における頁番号の認定手法を説明する。頁番号認定部２００は、後述する順序補正コマンドが利用者から入力されている場合と入力されていない場合とで頁番号の認定手法を異ならせている。
【００５１】
まずは、利用者から順序補正コマンドが入力されていない場合の頁番号認定手法を説明する。頁番号認定部２００は、利用者から順序補正コマンドが入力されていない場合、各画像に対応付けられているインデックスの番号を各画像の頁番号（各画像の順序を示す番号）として認定する。ここで、各画像に対応付けられているインデックスの番号は各画像の読み取り順序に基づいて定められたものであるため、頁番号認定部２００は、各画像の読み取り順に基づいて各画像の順序を定めていることになる。
【００５２】
そして、正しい積載順序にて原稿の組が原稿セットトレイ１２２に積載されていた場合において、各画像に対応付けられているインデックスの番号を各画像の頁番号とする場合、ｎ頁目の画像に対してｎ番の頁番号が正しく認定されることになる。例えば、図３に示す例の場合、「Ａ」が記載されている１頁目の画像の頁番号は「１」と認定され、「Ｂ」が記載されている２頁目の画像の頁番号は「２」と認定され、「Ｃ」が記載されている３頁目の画像の頁番号は「３」と認定され、「Ｈ」が記載されている８頁目の画像の頁番号は「８」と認定される。
【００５３】
しかしながら、正しい積載順序とは逆の積載順序にて原稿の組が原稿セットトレイ１２２に積載されていた場合、各画像に対応付けられているインデックスの番号を各画像の頁番号として認定すると、ｎ頁目の画像にｎ番の頁番号が付与されず、本来の頁番号が大きな画像ほど小さい頁番号が認定されてしまうという問題が生じる。例えば、図４に示す例の場合、「Ａ」が記載されている１頁目の画像には８番のインデックスが対応付けられているため当該画像の頁番号は「８」と誤認定されてしまい、「Ｂ」が記載されている２頁目の画像には７番のインデックスが対応付けられているため当該画像の頁番号は「２」と誤認定されてしまう。また、「Ｈ」が記載されている８頁目の画像には１番のインデックスが対応付けられているため当該画像の頁番号は「１」と誤認定されてしまう。
【００５４】
つぎに、利用者から順序補正コマンドを入力している場合の頁番号認定手法を説明する。頁番号認定部２００は、利用者によって順序補正コマンドが入力されている場合、対応付けられているインデックスの番号が大きな画像ほど小さい頁番号を認定する。つまり、順序補正コマンドが入力されている場合に認定される頁番号に基づく各画像の順序は、順序補正コマンドが入力されていない場合に認定される頁番号に基づく各画像の順序に対して逆順になる。
【００５５】
それゆえ、順序補正コマンドが入力されている場合、正しい積載順序とは逆の積載順序にて原稿の組が原稿セットトレイ１２２に積載されていても、ｎ頁目の画像にｎ番の頁番号が正しく認定されることになる。例えば、図４に示す例の場合、「Ａ」が記載されている１頁目の画像には８番のインデックスが対応付けられているが当該画像の頁番号は「１」と認定され、「Ｂ」が記載されている２頁目の画像には７番のインデックスが対応付けられているが当該画像の頁番号は「２」と認定される。また、「Ｈ」が記載されている８頁目の画像には１番のインデックスが対応付けられているが当該画像の頁番号は「８」と認定される。
【００５６】
つぎに、表示制御部２０１について説明する。表示制御部２０１は、画像表示装置１０４を制御するブロックであって、利用者が複合機１００を操作するためのグラフィカルユーザインターフェイス、操作ガイドを示す画像、複合機１００にて取り扱われる画像のプレビューを画像表示装置１０４に表示させるものである。
【００５７】
また、本実施形態では、両面原稿の読み取りを行う場合、利用者は、図示しない操作パネルを操作することによって両面原稿読取モードを複合機１００に設定してから、スキャン実行命令を複合機１００に入力することになる。
【００５８】
そして、表示制御部２０１は、両面原稿読取モードが設定されている場合、原稿の画像の読み取り開始後、順序補正コマンドの入力のためのコマンド入力用画像を画像表示装置１０４に表示させる。なお、表示制御部２０１は、読取処理の完了前にコマンド入力用画像の表示が開始されるように画像表示装置１０４を制御する。
【００５９】
コマンド入力用画像の例を図５に示す。このコマンド入力用画像には「読み込まれた原稿の順序を逆にしますか？」とのメッセージが表示されており、このメッセージによって前記順序補正コマンドが入力可能であることを利用者に通知するようになっている。
【００６０】
また、図５に示すコマンド入力用画像は順序補正コマンドの入力を行うためのグラフィカルユーザインターフェイスであり、利用者は画像表示装置１０４に図５のコマンド入力用画像が表示されている場合に限り順序補正コマンドを入力できるようになっている。具体的には、図５の「Ｙｅｓ」ボタンをクリックすると順序補正コマンドが入力されるようになっている。また、図５の「ＮＯ」ボタンをクリックすると、順序補正コマンドが入力されることなくコマンド入力用画像の表示が終了するようになっている。
【００６１】
そして、順序補正コマンドが入力された場合、頁番号認定部２００は、対応付けられているインデックスの番号が大きな画像ほど小さい頁番号が付与されるように、記憶領域ａ・ｂの各画像の頁番号を決定する。また、全ての原稿の読み取り完了までに、順序補正コマンドが入力されなかった場合、頁番号認定部２００は、各画像に対応付けられているインデックスの番号と同じ番号が各画像の頁番号になるように、記憶領域ａ・ｂの各画像の頁番号を決定する。
【００６２】
つぎに、複合機１００においてイメージ送信処理が行われる際の処理手順を図６に基づいて説明する。図６は、複合機１００において実行されるイメージ送信処理の流れを示したフローチャートである。
【００６３】
まず、利用者は、読取ジョブの処理対象となる複数の原稿の組を原稿セットトレイ１２２に積載する。つぎに、利用者がスキャン実行コマンドを入力すると、制御部１０８はフラグ（Ｆ）の値をゼロに設定し（Ｓ１）、両面原稿読み取りモードが設定されているか否かを判定する（Ｓ２）。
【００６４】
ここで、両面読み取りモードが設定されている場合（Ｓ２にてＹｅｓ）、制御部１０８は、画像入力装置１０１を制御して、原稿セットトレイ１２２に積載されている原稿を１枚づつ搬送し、原稿の画像の読み取り処理を開始する（Ｓ３）。なお、頁番号認定部２００は、図３または図４に示されるように、読み取られた各画像とインデックスとを対応付けて記憶領域ａ・ｂに保存する。
【００６５】
また、表示制御部２０１は、図５のコマンド入力用画像を画像表示装置に表示させる（Ｓ４）。
【００６６】
そして、利用者が図５の「Ｙｅｓ」ボタンをクリックすると、制御部１０８は、順序補正コマンドの入力を検知する（Ｓ５にてＹｅｓ）。制御部１０８は、順序補正コマンドの入力を検知した場合、フラグの値をａに設定した上で（Ｓ６）、処理をＳ７に移行させる。また、Ｓ７への移行によって、表示制御部２０１はコマンド入力用画像の表示を終了する。
【００６７】
これに対し、利用者が図５の「Ｎｏ」ボタンをクリックした場合、制御部１０８は、フラグの値を変更せずに処理をＳ７に移行させる（Ｓ５にてＮｏ）。つまり、この場合、制御部１０８は、順序補正コマンドが入力されなかったものと扱い、フラグの値を変更することなく、Ｓ７に処理を移行するのである。また、Ｓ７への移行によって、表示制御部２０１はコマンド入力用画像の表示を終了する。
【００６８】
そして、Ｓ７に移行すると、頁番号認定部２００は、原稿セットトレイ１２２に積載される全ての原稿について画像の読み取りが完了したか否かを判定する。ここで、全ての原稿について画像の読み取りが完了している場合（Ｓ７にてＹｅｓ）、頁番号認定部２００はフラグの値がａに設定されているか否かを判定する（Ｓ８）。
【００６９】
フラグの値がゼロである場合（Ｓ８においてＮｏ）、頁番号認定部２００は、順序補正コマンドが入力されていないと判断し、各画像に対応付けられているインデックスの番号を各画像の頁番号として認定する（Ｓ９）。そして、頁番号認定部２００は、記憶領域ａ・ｂに保存されている各画像を頁番号の小さい順に読み出す。
【００７０】
これに対し、フラグの値がａである場合（Ｓ８においてＹｅｓ）、頁番号認定部２００は、順序補正コマンドが入力されていると判断し、インデックスの番号が大きな画像ほど小さい頁番号を付与する（Ｓ１０）。そして、頁番号認定部２００は、記憶領域ａ・ｂに保存されている各画像を頁番号の小さい順に読み出す。
【００７１】
その後、頁番号認定部２００によって読み出された各画像は画像処理装置１０２を経由してフォーマット変換部（不図示）に送られる。そして、フォーマット変換部は、送られてきた各画像が編集された画像ファイル（所定のフォーマットの画像ファイル）を作成し（Ｓ１１）、この画像ファイルを所定の宛先に送信する（Ｓ１２）。なお、Ｓ１１では、各画像の並び順が頁番号認定部２００にて認定された頁番号の順序に従ったものとなるように前記画像ファイルが編集されることになる。
【００７２】
以上示した実施形態によれば、頁番号認定部（順序決定部）２００は、利用者によって順序補正コマンドが入力されていないコマンド無状態の場合、読み取られた各画像の読み取り順に基づいて各画像の順序を決定することになる。また、頁番号認定部２００は、利用者によって順序補正コマンドが入力されているコマンド有状態の場合、各画像の順序を、前記コマンド無状態にて決定される順序とは逆の順序になるように決定することになる。そして、表示制御部２０１は、順序補正コマンドの入力を行うためのコマンド入力用画像を読取処理完了前から画像表示装置（表示装置）１０４に表示させている。
【００７３】
以上の実施形態の構成によれば、前記各画像の順序の補正を行う必要がある事に利用者が気づいている場合、当該利用者が前記順序補正コマンドを入力することによって、各画像の順序の補正が行われるようになっている。さらに、前記読取処理の完了前に利用者が前記補正の必要性に気づいている場合、前記読取処理の完了前であっても前記順序補正コマンドの入力が可能であるため、前記読取処理の完了後すぐに前記補正を実行することが可能になる。それゆえ、読取処理が完了してから補正処理が行われるまでかなりの時間を要する特許文献１の構成よりも、補正処理完了を早めることが可能となる。
【００７４】
なお、図６に示した処理手順は、イメージ送信処理のみだけでなく、ファクシミリ送信や複写処理時にも適用可能である。ファクシミリ送信処理に適用される場合、Ｓ９またはＳ１０にて読み出された各画像は画像処理装置１０２を経由して送信装置１０６に送られる。また、複写処理に適用される場合、Ｓ９またはＳ１０にて読み出された各画像は画像処理装置１０２を経由して画像出力装置１０３に送られる。
【００７５】
また、本実施形態によれば、順序補正コマンドが入力されている場合、対応付けられているインデックスの番号が大きな画像ほど小さい頁番号が付与されるように各画像の頁番号を決定している。しかし、このような決定手法に限定されず、順序補正コマンドが入力されている場合、頁番号を他の手法にて決定してもよい。
【００７６】
例えば、順序補正コマンドが入力されると、下記の式Ａを用いて、各画像に対応付けられているインデックスの番号を更新する。
ＩＤ´＝Ｍ−ＩＤ＋１          式Ａ
なお、ＩＤ´は更新後のインデックス番号であり、Ｍは総頁数であり、ＩＤは更新前のインデックス番号である。
そして、頁番号認定部２００は、各画像の頁番号を、各画像に対応付けられている更新後インデックスの番号と同じ番号にする。このようにしても、順序補正コマンドが入力されている場合、正しい積載順序とは逆の積載順序にて原稿の組が原稿セットトレイ１２２に積載されていても、ｎ頁目の画像にｎ番の頁番号が正しく付与されることになる。
【００７７】
また、本実施形態では、画像入力装置１０１として両面同時読取式のスキャナを採用したが、原稿を片面づつ読み取る片面読取方式のスキャナを画像入力装置１０１としてもよい。なお、特許文献１のシステムでは片面読取方式のスキャナが採用されている。片面読取方式のスキャナでは、まず１枚目の原稿の表面が読み取られ、その後１枚目の原稿を反転させて当該原稿の裏面が読み取られる。このようにして、１枚目の原稿の表面と裏面とが読み取られた後、２枚目の原稿の読み取りが開始される。
【００７８】
そして、画像入力装置１０１として片面読取方式のスキャナが採用される場合、図１４に示すように、読み取られた全ての画像は同じ記憶領域ｃに保存され、読み取られた順番が先の画像ほど小さな番号のインデックスが対応付けられる。
【００７９】
なお、図１４は、前記した４枚の原稿の組（図３および図４参照）が正しい積載順序とは逆の積載順序にて原稿セットトレイ１２２に積載された場合において、読み取られた各画像とインデックスの番号との対応関係を示した図である。図１４に示されるように、「Ｈ」が記載されている８頁目の画像には１番のインデックスが対応付けられ、「Ｇ」が記載されている７頁目の画像には２番のインデックスが対応付けられ、「Ｆ」が記載されている６頁目の画像には３番のインデックスが対応付けられ、「Ａ」が記載されている１頁目の画像には８番のインデックスが対応付けられていることになる。
【００８０】
そして、頁番号認定部２００は、利用者から順序補正コマンドが入力されていない場合、記憶領域ｃの各画像に対応付けられているインデックスの番号を各画像の頁番号（各画像の順序を示す番号）として認定する。これに対し、頁番号認定部２００は、利用者から順序補正コマンドが入力されている場合、対応付けられているインデックスの番号が大きな画像ほど小さい頁番号を付与する。
【００８１】
それゆえ、図１４の例において、順序補正コマンドが入力されていない場合、ｎ頁目の画像にｎ番の頁番号が付与されず、頁番号が大きな画像ほど小さい頁番号が誤って付与されてしまう。これに対し、順序補正コマンドが入力されている場合、ｎ頁目の画像にｎ番の頁番号が付与され、本来の頁番号と同じ頁番号が各画像に付与されることになる。
【００８２】
〔実施の形態２〕
実施の形態１では両面原稿読取モード時において順序補正コマンドを入力するためのコマンド入力用画像が常に表示されるようになっているが、ユーザが必要と判断した場合にのみコマンド入力用画像が表示されるような形態であっても構わない。以下ではこの形態について説明する。
【００８３】
図７は、本実施形態におけるイメージ送信処理の流れを示したフローチャートである。なお、図７のＳ２１〜Ｓ２３は図６のＳ１〜Ｓ３と同様であり、図７のＳ２９〜Ｓ３４は図６のＳ７〜Ｓ１２と同様である。それゆえ、以下では、Ｓ２１〜Ｓ２３およびＳ２９〜Ｓ３４の説明を省略する。
【００８４】
Ｓ２３にて原稿の画像の読み取り処理が開始された後、表示制御部２０１は、図１０に示すように、画像表示装置１０４に映し出されている機能設定用画像において「特別機能」ボタンを表示する（図１０参照）。そして、図１０に示される機能設定用画像において「特別機能」ボタンが利用者に選択された場合（Ｓ２４にてＹｅｓ）、表示制御部２０１は、図１１に示すコマンド入力用画像を画像表示装置１０４に表示させる（Ｓ２６）。
【００８５】
なお、「特別機能」ボタンが利用者に選択されることなく、原稿セットトレイ１２２上の全ての原稿が読み取られた場合（Ｓ２５にてＹｅｓ）、制御部１０８は処理をＳ２９へ移行させる。これにより、両面原稿読取モード時であっても、コマンド入力用画像を表示せずに処理を進行することになる。
【００８６】
つぎに、Ｓ２６にて表示されるコマンド入力用画像について説明する。図１１に示すように、コマンド入力用画像には「原稿順序反転モード」という項目と「ＯＫ」ボタンとが示されている。ここで、利用者が「原稿順序反転モード」の項目を選択した上で「ＯＫ」ボタンを押すと、順序補正コマンドが入力されるようになっている。また、利用者が「原稿順序反転モード」の項目を選択せずに「ＯＫ」ボタンを押すと、順序補正コマンドが入力されることなくコマンド入力用画像の表示が終了するようになっている。
【００８７】
そして、図１１に示すコマンド入力用画像が画像表示装置１０４に表示されている場合において、利用者が「原稿順序反転モード」の項目を選択した上で「ＯＫ」ボタンを押すと、制御部１０８は、順序補正コマンドの入力を検知する（Ｓ２７にてＹｅｓ）。制御部１０８は、頁番号補正コマンドの入力を検知した場合、フラグの値をａに設定した上で（Ｓ２８）、処理をＳ２９に移行させる。また、Ｓ２９への移行によって、表示制御部２０１は図１１のコマンド入力用画像の表示を終了する。
【００８８】
これに対し、利用者が図１１の「原稿順序反転モード」の項目を選択せずに「ＯＫ」ボタンをクリックした場合、制御部１０８は、フラグの値を変更せずに処理をＳ２９に移行させる（Ｓ２７にてＮｏ）。つまり、この場合、制御部１０８は、順序補正コマンドが入力されなかったものと扱い、フラグの値を変更することなく、Ｓ２９に処理を移行するのである。また、Ｓ２９への移行によって、表示制御部２０１は図１１のコマンド入力用画像の表示を終了する。
【００８９】
その後、Ｓ２９〜Ｓ３４の処理が実行されることになるが、Ｓ２９〜Ｓ３４の処理は上述通り図６のＳ７〜Ｓ１２と同様であるため、ここではその説明を省略する。
【００９０】
以上の実施形態によれば、表示制御部２０１は、コマンド入力用画像を表示させる旨のモード（特別機能）が利用者によって設定されている場合に限り、コマンド入力用画像を画像表示装置１０４に表示させ、前記モードが利用者によって設定されていない場合はコマンド入力用画像を画像表示装置１０４に表示させないことにしている。この構成によれば、利用者の要求に応じて前記コマンド入力用画像の表示の有無を切り替えることが可能となるため、各画像の順序の補正が不要であると利用者が考えているときは前記コマンド入力用画像の表示を禁止することにより、画像表示装置１０４の表示内容が煩雑になってしまうことを抑制できる。
【００９１】
〔実施の形態３〕
頁番号補正コマンドを入力すると共に読み取られた画像のプレビューを表示する形態であってもよい。以下ではこの形態について説明する。
【００９２】
図８は、本実施形態におけるイメージ送信処理の流れを示したフローチャートである。なお、図８のＳ４１〜Ｓ４３は図６のＳ１〜Ｓ３と同様であり、図８のＳ４７〜５４は図６のＳ５〜Ｓ１２と同様である。それゆえ、以下では、Ｓ４１〜Ｓ４３およびＳ４７〜５４の説明を省略する。
【００９３】
Ｓ４３にて原稿の画像の読み取り処理が開始された後、表示制御部２０１は、画像表示装置１０４に表示されている機能設定用画像において、図１２に示すように「プレビュー確認」ボタンを表示するかアクティブ状態にする（Ｓ４４）。
【００９４】
そして、図１２の「プレビュー確認」ボタンが利用者に選択された場合（Ｓ４５にてＹｅｓ）、表示制御部２０１は、図１３に示すように、コマンド入力用画像をプレビューと共に画像表示装置１０４に表示させる（Ｓ４６）。なお、図１３に示すように、Ｓ４６にて表示されるコマンド入力用画像は、Ｓ４にて表示されるコマンド入力用画像と同じものである。それゆえ、ここでは、Ｓ４６にて表示されるコマンド入力用画像の説明を省略する。
【００９５】
なお、「プレビュー確認」ボタンが利用者に選択されることなく、原稿セットトレイ１２２上の全ての原稿が読み取られた場合、制御部１０８は処理をＳ４９へ移行させる（Ｓ４５にてＮｏ）。これにより、両面原稿読取モード時であっても、コマンド入力用画像を表示せずに処理を進行することになる。
【００９６】
つぎに、Ｓ４６にて表示されるプレビューについて説明する。Ｓ４６において、表示制御部２０１は、コマンド入力用画像を画像表示装置１０４に表示させるだけでなく、最初に読み取られた原稿の画像のプレビューを画像表示装置１０４に表示させている。そして、利用者は、プレビューを確認した上で、Ｓ４７にて順序補正コマンドの入力の要否を検討することになる。
【００９７】
その後、Ｓ４７〜Ｓ５４の処理が実行されることになるが、Ｓ４７〜Ｓ５４の処理は、上述どおり図６のＳ５〜Ｓ１２と同様であるため、ここではその説明を省略する。
【００９８】
以上の形態によれば、最初に読み取られた原稿のプレビューを表示するため、利用者からすれば各画像の順序の誤りに気づき易くなるというメリットがある。なお、前記構成によれば、プレビュー表示の対象を最初に読み取られた原稿にしているため、全ての原稿の読み取り完了前であってもプレビュー表示処理が実行可能となる。したがって、利用者は、全ての原稿の読み取り完了前に、各画像の順序の正誤を前記プレビューにて確認した上で前記順序補正コマンドの入力を行うことが可能となり、迅速に処理を進めることができる。
【００９９】
また、以上の形態によれば、表示制御部２０１は、プレビューを表示させる旨のモードが利用者によって設定された場合に限り、コマンド入力用画像を画像表示装置１０４に表示させ、プレビューを表示させる旨のモードが利用者に設定されない場合はコマンド入力用画像を画像表示装置１０４に表示させないことにしている。この構成によれば、実施の形態２と同様、利用者の要求に応じて前記コマンド入力用画像の表示の有無を切り替えることが可能となるため、各画像の順序の補正が不要であると利用者が考えているときは前記コマンド入力用画像の表示を禁止することにより、画像表示装置１０４の表示内容が煩雑になってしまうことを抑制できる。
【０１００】
なお、画像入力装置１０１が両面同時読取方式である場合、Ｓ４６においては、最初に読み取られた原稿の表面のプレビューと裏面のプレビューとを表示させることが可能となる。また、片面読取方式のスキャナの場合、Ｓ４６においては、最初に読み取られた原稿の片面のプレビューを表示させることになる。
【０１０１】
また、プレビュー用のデータに対して、後述する実施の形態５の画像処理をそのまま用いるのではなく、後述する入力処理部４（図１７参照）で行われる処理と同じ処理を行い、その後に図１９（ａ）に示されるガンマ曲線を用いて出力階調補正を行った上で、Ｓ４５にてプレビューを表示するようにしてもよい。
【０１０２】
〔実施の形態４〕
画像入力装置１０１の読取処理において処理対象の原稿枚数が少ない場合、前記読取処理はすぐに完了してしまう。よって、処理対象の原稿枚数が少ないと、利用者は読取処理中において原稿セットトレイ１２２の原稿の積載順を確認する機会がない。それゆえ、読取処理開始前にトレイの原稿の積載順を確認しておらず、且つ、読取処理対象の原稿枚数が少ないために読取処理中にトレイの原稿の積載順を確認する機会がなかった場合、利用者は、原稿の順序補正の要否の確認ができず、順序補正コマンドの入力の是非がわからないといった事態も起こり得る。
【０１０３】
そこで、本実施形態では、前記読取処理において読み取られた全原稿枚数が所定枚数以下である場合、前記読取処理後において、最初に読み取られた原稿のプレビューを画像表示装置１０４に強制的に表示させ、且つ順序補正コマンドの入力を受付可能とする。このようにすれば、既に前記読取処理が終了していても、プレビューを確認することで前記補正の要否の判断が可能になり、必要に応じて各画像の順序の補正を行うことが可能になる。以下では本実施形態の処理の流れについて説明する。
【０１０４】
図９は、本実施形態におけるイメージ送信処理の流れを示したフローチャートである。なお、図９のＳ６１〜Ｓ６７は図６のＳ１〜Ｓ７と同様であり、図９のＳ７２〜Ｓ７６は図６のＳ８〜Ｓ１２と同様である。それゆえ、以下では、Ｓ６１〜Ｓ６７およびＳ７２〜Ｓ７６の説明を省略する。
【０１０５】
原稿セットトレイ１２２に載置した全ての原稿について画像の読取処理が完了した後（Ｓ６７にてＹｅｓ）、表示制御部２０１は、読取処理において読み取った全ての原稿の枚数を判定する（Ｓ６８）。
【０１０６】
なお、原稿の枚数は以下のようにして判定される。後述する給送タイミングセンサ１６５（図２参照）からの信号に基づいて、搬送される原稿を順次カウントすることによって、原稿の枚数を判定可能である。また、原稿が搬送されている時にＣＣＤに導かれる光と原稿が搬送されていない時にＣＣＤに導かれる光との相違を利用し、原稿の読み取りを行うＣＣＤの出力信号に基づいて搬送される原稿をカウントすることも可能である。つまり、ＣＣＤの出力信号に基づいて原稿の枚数を検知することも可能である。
【０１０７】
Ｓ６８において、読取処理において読み取った全ての原稿の枚数が所定枚数以下と判定される場合、表示制御部２０１は、図１３に示すように、コマンド入力用画像とプレビュー（最初に読み取られた原稿のプレビュー）とを画像表示装置１０４に表示させる（Ｓ６９）。これに対し、Ｓ６８において、読取処理において読み取った全ての原稿の枚数が所定枚数を超えると判定される場合、制御部１０８は処理をＳ７２に移行させる。
【０１０８】
Ｓ６９において利用者が図１３の「Ｙｅｓ」ボタンをクリックすると、制御部１０８は、順序補正コマンドの入力を検知する（Ｓ７０にてＹｅｓ）。制御部１０８は、順序補正コマンドの入力を検知した場合、フラグの値をａに設定した上で（Ｓ７１）、処理をＳ７２に移行させる。また、Ｓ７２への移行によって、表示制御部２０１はコマンド入力用画像の表示を終了する。
【０１０９】
これに対し、Ｓ６９において利用者が図１３の「Ｎｏ」ボタンをクリックした場合、制御部１０８は、フラグの値を変更せずに処理をＳ７２に移行させる（Ｓ７０にてＮｏ）。また、Ｓ７０への移行によって、表示制御部２０１はコマンド入力用画像の表示を終了する。その後、Ｓ７２〜Ｓ７６の処理が実行されることになるが、Ｓ７２〜Ｓ７６の処理は、上述どおり図６のＳ８〜Ｓ１２と同様であるため、ここではその説明を省略する。
【０１１０】
以上示した図９の処理によれば、読取処理における原稿枚数が少ない場合、利用者は、読取処理後においてプレビューを確認することで原稿の順序補正の要否の判断が可能になる。具体的には、Ｓ６３の後に読取処理が直ぐに終了してしまい、Ｓ６５の段階で順序補正コマンドの入力の要否の判断がつかない場合であっても、順序補正コマンドを入力せずに図５の「Ｎｏ」ボタンをクリックすることで処理を進めておけば（Ｓ６５にてＮｏ）、Ｓ６９においてプレビューを確認することで原稿の順序補正の要否の判断が可能となり、Ｓ７０において原稿の順序補正コマンドの入力が可能となる。なお、Ｓ６５にて図５の「Ｎｏ」ボタンをクリックするということは、実施の形態１のＳ５にて図５の「Ｎｏ」ボタンをクリックした場合と同様、コマンド入力用画像の表示が終了する。
【０１１１】
また、Ｓ６５において、図５の「Ｙｅｓ」ボタンおよび「Ｎｏ」ボタンのいずれか一方がクリックされる前に全ての原稿の読み取りが終了した場合（つまり、順序補正コマンドの入力や、順序補正不要である旨の指示の入力が行われる前に全ての原稿の読み取りが終了した場合）、コマンド入力用画像の表示を終了し、Ｓ６８へ処理を移行するようにしても良い。このようにすれば、不必要にコマンド入力用画像が表示された状態が継続されてしまう事を防ぐことができる。
【０１１２】
なお、図９に示される処理は常に実行されるのではなく、図９の処理を実行する旨のモードが利用者に選択された場合にのみ実行されるようになっていてもよい。
【０１１３】
〔実施の形態５〕
以上示した各実施形態では、全ての原稿について画像の読み取りが完了した後、フラグの値がａに設定されているか否かを判定し、フラグの値がａである場合、頁番号認定部２００は、順序補正コマンドが入力されていると判断し、インデックスの番号が大きな画像ほど小さい頁番号を付与するようにしている。しかし、全ての原稿について画像の読み取りが完了したか否かの判定を行うことなく、順序補正コマンドの入力が検知されると、インデックスの番号が小さい画像から順に仮頁番号を付け、全ての原稿について画像の読み取りが完了した時点で画像の読み出しを行うようにしてもよい。以下、この処理について詳細に説明する。
【０１１４】
まず、順序補正コマンドの入力が検知されると、全ての原稿について画像の読み取りが完了しているか否かに拘わらず、インデックスの番号が小さい画像から順に仮頁番号を付与する。なお、インデックス番号がｎの画像に対して付与される仮頁番号を式Ｂに示す。
仮頁番号＝所定値−（ｎ−１）          式Ｂ
なお、所定値は予め設定されている値であり、１回の読取ジョブにて現実的に読み取りが行われないような大きな原稿枚数（例えば１０００）と同数が前記所定値として設定される。
【０１１５】
つまり、画像のインデックス番号が大きくなるほど付与される仮頁番号は小さくなる。そして、全ての原稿について画像の読み取りが完了した時点で全頁数を検出できる。その後、「所定値−全頁数＋１」となる画像を最初に読み出し、その後、仮頁番号が小さい順に各画像を読み出す（全頁数を検出せず、単に、仮頁番号の小さい順に画像を読み出してもよい）。このような処理でも、各画像の読取順序と各画像の出力順序とを反転させることができる。また、このような処理によれば、画像の読み取りと並行して画像の順序の補正処理を行うことができるので、画像の読み取りが終了すると、直ちに各画像の読み出しを行うことができ、処理を速く行うことができる。なお、各画像を読み出す際、読み出される順番が小さい画像ほど小さな本頁番号を各画像に付与してもよい。
【０１１６】
〔実施の形態６〕
つぎに、実施の形態１〜５にて示した複合機１００の変形例について以下説明する。図１５は、本実施形態の複合機（画像形成装置）１００ａの概略構成を示すブロック図である。なお、図１５の画像入力装置１０１ａ，画像出力装置１０３ａ，画像表示装置１０４ａ，受信装置１０５ａ，送信装置１０６ａ，記憶装置１０７ａ，制御部１０８ａは、各々、図１の画像入力装置１０１，画像出力装置１０３，画像表示装置１０４，受信装置１０５，送信装置１０６，記憶装置１０７，制御部１０８と同じ機能を奏するものである。
【０１１７】
本実施形態の複合機１００ａは、コピアモード・プリントモード・ファクシミリ送信モード・ファクシミリ受信モード・イメージ送信モードの中からいずれかのモードが選択されると、選択されたモードを実行するデジタルカラー複合機である。
【０１１８】
コピアモード（複写モード）とは、画像データを読み込み（原稿を読み取って画像データを生成し）、この画像データの画像を用紙に印刷するモードを意味する。また、プリントモードとは、複合機１００ａに接続されている端末装置から送られてくる画像データの画像を用紙に印刷するモードを意味する。ファクシミリ送信モードとは、画像データを読み込み、この画像データを、電話回線を用いて外部装置へファクシミリにて送信する通常のファクシミリモードとインターネットを利用してメールに添付して送信するインターネットファクシミリモードを意味する。ファクシミリ受信モードとは、外部装置から画像データをファクシミリにて受信し、受信した画像データの画像を用紙に印刷するモードを意味する。イメージ送信モードとは、原稿を読み取って生成した画像データを（１）電子メールに添付して指定されたアドレスへ送信する（scan to e-mail）モード、（２）ユーザにより指定されたフォルダに送信するモード（scan to ftp）、（３）複合機１００ａに装着されたＵＳＢメモリなどに送信するモード（scan to usb）モードを意味する。
【０１１９】
また、コピアモード・プリントモードが選択されている場合、利用者は、白黒画像を出力する白黒モード，フルカラーの画像を出力するフルカラーモード，利用者の所望する１色のみからなる単色画像を出力するシングルカラーモード，利用者の所望する１色と黒色とからなる２色画像を出力する２色カラーモードのいずれかを選択できるようになっている。
【０１２０】
例えば、コピアモードまたはプリントモードにおいて、利用者がシングルカラーモードを選択した場合、上記単色画像が印刷されることになる。また、コピアモードまたはプリントモードにおいて、利用者が２色カラーモードを選択した場合、上記２色画像の画像データが印刷される。なお、シングルカラーモードまたは２色カラーモードでは、利用者は、Ｒ（赤），Ｇ（緑），Ｂ（青），Ｃ（シアン），Ｍ（マゼンタ），Ｙ（イエロー）の中から所望の色を１つ選択することになる。
【０１２１】
また、本実施形態では、コピアモードにおいて、自動判別モードを設定することが可能である。この自動判別モードが設定されている場合、複合機１００ａは、複写対象がカラー原稿か白黒原稿であるかを判別する自動カラー判別処理（ＡＣＳ）を行い、カラー原稿と判別される場合は上記のフルカラーモードで出力処理を行い、白黒原稿と判別される場合は上記の白黒モードで出力処理を行うようになっている。
【０１２２】
複合機１００ａは、図１５に示されるように、画像入力装置１０１ａ、画像処理装置１０２ａ、画像出力装置１０３ａ、画像表示装置１０４ａ、受信装置１０５ａ、送信装置１０６ａ、記憶装置１０７ａ、制御部１０８ａを有している。
【０１２３】
画像入力装置１０１ａは、コピアモード、ファクシミリ送信モード、イメージ送信モードにおいて、原稿を読み取り画像データを生成する画像読取手段である。より具体的に説明すると、画像入力装置１０１ａは、ＣＣＤ（Charge Coupled Device）を備えたスキャナ部を有し、原稿から反射してきた光を、ＲＧＢに色分解された電気信号（アナログの画像信号）に変換し、この電気信号を画像処理装置１０２ａに入力するものである。
【０１２４】
なお、画像入力装置１０１ａは、上記のフルカラーモード，シングルカラーモード，２色カラーモードのいずれのモードが選択されている場合であっても、フルカラーにて原稿画像の読み取りを行う。また、画像入力装置１０１ａは、画像処理装置１０２ａにおいて前述した自動カラー判別処理が行われる場合であってもフルカラーにて原稿画像の読み取りを行う。
【０１２５】
画像処理装置１０２ａは、画像データ（画像信号）に対して画像処理を施す集積回路であり、ＡＳＩＣ（Application specific integrated circuit）から構成されるものである。この画像処理装置１０２ａは、図１５に示すように、Ａ/Ｄ（アナログ/デジタル）変換部２、シェーディング補正部３、入力処理部４、原稿種別自動判別部５、領域分離処理部６、圧縮部７、領域分離信号圧縮部８、復号部９、領域分離信号復号部１０、画質調整部１１、２色化処理部１２、色補正部１３、黒生成／下色除去部１４、空間フィルタ部１５、変倍部１６、出力階調補正部１７、中間調生成部１８の各ブロックを有している。画像処理装置１０２に含まれる各ブロックの処理内容については後で詳述する。
【０１２６】
なお、画像処理装置１０２ａは、コピアモード、ファクシミリ送信モード、イメージ送信モードにおいて、画像入力装置１０１ａから送られてきた画像データに画像処理を行い、プリントモードにおいて、端末装置から送信されてきた画像データに画像処理を行い、ファクシミリ受信モードにおいて、外部装置から受信した画像データに画像処理を行うようになっている。そして、画像処理装置１０２ａは、コピアモード、プリントモード、ファクシミリ受信モードにおいて、画像処理を施した画像データを画像出力装置１０３ａに送信し、ファクシミリ送信モードにおいて、画像処理を施した画像データを送信装置１０６ａに送信し、イメージ送信モードのscan to e-mailモードにおいて、画像処理を施した画像データをメール処理部（不図示）に、scan to ftpモードにおいて、画像処理を施した画像データを所定のフォルダに、scan to usbモードにおいて、画像処理を施した画像データを所定のＵＳＢメモリに送信するようになっている。
【０１２７】
画像出力装置（プリンタ）１０３ａは、画像処理装置１０２ａから送られてきた画像データの画像を記録媒体（例えば紙等）上に印刷（形成）するものであり、例えば、電子写真方式またはインクジェット方式を用いたカラープリンタを挙げることができる。なお、本実施形態においての「印刷」とは、プリントモードにおける印刷、コピアモードでの印刷、ファクシミリ受信モードでの印刷のいずれかを意味する。
【０１２８】
画像表示装置１０４ａは、複合機１００ａの操作パネル（不図示）に備えられている液晶ディスプレイであり、カラー画像の表示が可能な表示手段である。また、画像表示装置１０４ａは、タッチパネルに覆われており、複合機１００ａの入力インターフェイスとしての機能を有している。つまり、画像表示装置１０４ａには、複合機１００ａに対して各種コマンドの入力を行うためのＧＵＩ（グラフィカルユーザインターフェイス）や操作ガイドが表示される。
【０１２９】
また、本実施形態の複合機１００ａでは、コピアモードまたはファクシミリ受信モードにおいて、印刷実行前に、印刷対象となる画像のプレビューを画像表示装置１０４ａに表示することが可能になっている。さらに、本実施形態の複合機１００ａでは、ファクシミリ送信モードまたはイメージ送信モードにおける送信実行前において、送信対象となる画像のプレビューを画像表示装置１０４ａに表示することが可能になっている。
【０１３０】
また、コピアモードまたはイメージ送信モードにおいて、フルカラーモードが選択されている場合はフルカラー画像のプレビューが表示され、シングルカラーモードが選択されている場合は単色画像のプレビューが表示され、２色カラーモードが選択されている場合は２色画像のプレビューが表示されるようになっている。
【０１３１】
なお、画像表示装置１０４ａは、液晶ディスプレイに限定されるものではなく、液晶ディスプレイ以外の表示手段（例えば、有機ＥＬディスプレイ、プラズマディスプレイ等）であってもよい。
【０１３２】
受信装置１０５ａは、電話回線またはインターネットに接続しており、ファクシミリ通信によって外部装置から画像データを受信する装置である。また、送信装置１０６ａは、電話回線またはインターネットに接続しており、画像入力装置１０１ａにて入力された画像データをファクシミリ通信によって外部装置へ送信する装置である。
【０１３３】
記憶装置１０７ａは、画像処理装置１０２ａにて扱われる画像データを一旦保存するためのハードディスクである。
【０１３４】
制御部１０８ａは、ＣＰＵ（Central Processing Unit）あるいはＤＳＰ（Digital Signal Processor）等のプロセッサを含むコンピュータであり、複合機１００ａに備えられる各種ハードウェアを統括的に制御するものである。また、制御部１０８ａは、複合機１００ａに備えられる各ハードウェア間のデータ転送を制御する機能も有する。
【０１３５】
つぎに、コピアモード、ファクシミリ送信モード、ファクシミリ受信モード、イメージ送信モードの各モードにおいて、画像処理装置１０２ａの各ブロックにて実行される処理の内容を詳細に説明する。なお、本実施形態の画像処理装置１０２ａには、或るモードａが選択されている時は動作する一方で前記モードａとは異なるモードｂが選択されている時は動作しないようなブロックが存在する（モードａ、モードｂは、コピアモード、ファクシミリ送信モード、ファクシミリ受信モード、イメージ送信モードのいずれかである）。また、画像処理装置１０２ａには、選択されているモードに応じて処理内容を変更するブロックも存在する。さらに、画像処理装置１０２ａには、選択されているモードが同じであっても、印刷用（送信用）の画像データの処理時は動作する一方でプレビュー用の画像データの処理時は動作しないようなブロックや、印刷用（送信用）の画像データの処理時とプレビュー用の画像データの処理時とで処理内容を変更するブロックが存在する。そこで、以下では、コピアモードおよびイメージ送信モードの場合を例にして、画像処理装置１０２ａに含まれる各ブロックにて実行される処理の内容を印刷処理時（または送信処理時）とプレビュー表示時とで分けて説明する。
【０１３６】
（１）コピアモード
（１−１）印刷処理時（画像印刷ジョブ時）
以下では、図１２に基づいて画像処理装置１０２ａについて説明するが、図１２はコピアモード且つフルカラーモードにて印刷処理を行う際の画像処理装置１０２ａ内の画像データの流れを示したものである事を述べておく。
【０１３７】
Ａ／Ｄ（アナログ・デジタル）変換部２は、画像入力装置１０１ａから送られてきたカラー画像信号（ＲＧＢアナログ信号）をデジタルの画像データ（ＲＧＢデジタル信号）に変換するブロックである。シェーディング補正部３は、Ａ／Ｄ変換部２から送られてきた画像データに対して、画像入力装置１０１ａの照明系、結像系、撮像系で生じる各種の歪みを取り除く処理を施すブロックである。入力処理部４は、シェーディング補正部３より送られてくるＲＧＢの画像データのそれぞれに対してγ補正処理などの階調変換処理を施すブロックである。
【０１３８】
原稿種別自動判別部５は、入力処理部４にてγ補正等の処理がなされたＲＧＢの画像データ（ＲＧＢの濃度信号）に基づき、画像入力装置１０１ａにて読み取られた原稿の種別の判定を行う。ここで、判定される原稿の種別としては、文字原稿、印刷写真原稿、文字と印刷写真とが混在した文字印刷写真原稿等がある。また、原稿種別自動判別部５は、上記画像データに基づき、読み取られた原稿がカラー原稿であるか白黒原稿であるのかの判別を行う処理である自動カラー判別処理（ＡＣＳ：Auto Color Selection）やブランク原稿であるか否か（無地の原稿であるか否か）の判定処理も行うことができる。なお、原稿種別自動判別部５から出力されるＲＧＢの画像データは、領域分離処理部６および圧縮部７に入力するようになっている。
【０１３９】
領域分離処理部６は、原稿種別自動判別部５から送られてくるＲＧＢの画像データに基づき、入力画像の画素毎に、当該画素がどのような画像領域に分類されるのかを判別し、この判別結果を示す領域分離信号を生成する処理を行う。ここで、領域分離処理部６において判別される画像領域には、黒文字領域，色文字領域，網点領域等がある。なお、領域分離処理は、画素毎に画像領域の判定を行う形態ではなく、複数の画素よりなるブロック毎に画像領域の判定が行われる形態であってもよい。
【０１４０】
圧縮部７は、原稿種別自動判別部５から送られてくる画像データ（ＲＧＢ信号）を符号化する処理を行うブロックである。なお、上記符号化は、例えばＪＰＥＧ(Joint Photographic Experts Group)方式に基づいて行われる。
【０１４１】
領域分離信号圧縮部８は、画素毎に生成された領域分離信号に対して圧縮処理を施すブロックである。なお、領域分離信号圧縮部８における圧縮処理は、例えば、可逆圧縮方法であるＭＭＲ（Modified Modified Reed）方式、ＭＲ（Modified Reed）方式に基づいて行われる。
【０１４２】
制御部１０８ａは、圧縮部７から出力された符号化コード（符号化された画像データ）と領域分離信号圧縮部８から出力された領域分離信号コード（圧縮された領域分離信号）とを一旦記憶装置１０７ａに保存し、ファイリングデータとして管理する。そして、制御部１０８ａは、コピア出力動作が指示された場合、記憶装置１０７ａから上記の符号化コードおよび当該符号化コードに対応する領域分離信号コードを読み出し、復号部９、領域分離信号復号部１０にそれぞれ引き渡す。
【０１４３】
なお、制御部１０８ａは、上記符号化コードの保存アドレスまたはデータ名と、領域分離信号コードの保存アドレスとを対応付けて管理テーブルに記入する。つまり、制御部１０８ａは、当該管理テーブルを用いて、符号化コードおよび領域分離信号コードの読み出しまたは書き込みの制御を行っている。
【０１４４】
復号部９は、上記符号化コードに対して復号化処理を施すことによって、上記符号化コードをＲＧＢの画像データに伸張する。また、領域分離信号復号部１０は、上記領域分離信号コードに対して復号化処理を施す。復号化した領域分離信号は、黒生成／下色除去部１４、空間フィルタ部１５、中間調生成部１８に引き渡される。そして、黒生成／下色除去部１４、空間フィルタ部１５、中間調生成部１８においては、画像領域の種類に応じて画像処理内容の切替えが行われる。
【０１４５】
画質調整部１１は、復号部９から送られてくるＲＧＢの画像データについて、下地の検出を行って下地除去補正を行う。さらに、画質調整部１１は、ユーザによって操作パネル（不図示）から入力される設定情報に基づいて、ＲＧＢのバランス（カラー調整、赤み青みといった全体のカラー調整）、明るさ、鮮やかさの調整を行う。
【０１４６】
さらに、画質調整部１１は、シングルカラーモードが選択されている場合、ＲＧＢの画像データを、ＲＧＢの補色となるＣＭＹの画像データに変換する処理を行う。ここで、シングルカラーモードにおいてのＲＧＢの画像データからＣＭＹの画像データへの変換処理は、下記の式１を用いることによって実行される。なお、式１における係数ｒ１〜ｒ３は〔表１〕に基づいて定められる。例えば、利用者がシングルカラーモードにおいて所望の色としてシアンを選択している場合、〔表１〕の「Ｃｙａｎ」の欄に属するｒ１〜ｒ３の値が参照され、ｒ１＝１，ｒ２＝０，ｒ３＝０が選択されることになる。
【０１４７】
【数１】
2010124215.tif 000003
【０１４８】
【表１】
2010124215.tif 000004
【０１４９】
つまり、フルカラーモードの場合の画質調整部１１からの出力は、図１５に示されるように、ＲＧＢの画像データとなるところ、シングルカラーモードが選択されている場合の画質調整部１１からの出力は、図１６（ａ）に示されるように、ＣＭＹの画像データとなる。なお、２色カラーモードが選択されている場合の画質調整部１１からの出力は、図１６（ｂ）に示されるように、ＲＧＢの画像データとなる。なお、図１６（ａ）は、コピアモード且つシングルカラーモードにて印刷処理が行われる際の画像処理装置１０２の一部のブロックを示したものであり、図１６（ｂ）は、コピアモード且つ２色カラーモードにて印刷処理が行われる際の画像処理装置１０２の一部のブロックを示したものである。
【０１５０】
また、画質調整部１１にて実行される鮮やかさの調整は、式１のマトリクスのｒ１〜ｒ３およびａ１〜ａ３の各値を変更した上で当該マトリクスを用いることによって実現可能である。それゆえ、上記の鮮やかさの調整と、シングルカラーモードにおける画像データの変換処理（ＲＧＢからＣＭＹへの変換）とについては、マトリクスを共用でき、画像処理回路を共用できる。よって、本実施形態では、上記の鮮やかさの調整と、シングルカラーモードにおける画像データの変換処理とが、同じ処理部（画質調整部１１）で行われるのである。
【０１５１】
２色化処理部１２は、２色カラーモードが選択されている場合、図１６（ｂ）に示すように、画質調整部１１から出力されたＲＧＢの画像データをＣＭＹの画像データに変換する処理を行うブロックである。なお、２色カラーモードにおいてのＲＧＢの画像データからＣＭＹの画像データへの変換処理は、例えば、特開２００７−２８３３６号公報に記載されている〔実施例１〕または〔実施例２〕の手法にて実現できる。
【０１５２】
また、２色化処理部１２は、フルカラーモードが選択されている場合、図１５に示されるように、画質調整部１１から出力されたＲＧＢの画像データに対して何も処理を行わず、当該画像データをそのまま色補正部１３へ引き渡す（スルーする）。さらに、２色化処理部１２は、シングルカラーモードが選択されている場合、図１６（ａ）に示すように、画質調整部１１から出力されたＣＭＹの画像データに対して何も処理を行わず、当該画像データをそのまま色補正部１３へ引き渡す（スルーする）。
【０１５３】
色補正部１３は、フルカラーモードが選択されている場合、２色化処理部１２から出力されるＲＧＢの画像データをＣＭＹの画像データに変換する色補正処理を行うと共に、当該画像データに対して色再現性を高める処理を施すブロックである。なお、上記の色補正処理は、入力値（ＲＧＢ）と出力値（ＣＭＹ）とを対応付けたＬＵＴ（ルックアップテーブル）を作成し、作成したＬＵＴから出力値をルックアップすることによって実現される。
【０１５４】
また、色補正部１３は、シングルカラーモードまたは２色カラーモードが選択されている場合、図１６（ａ）（ｂ）に示されるように、２色化処理部１２から出力されたＣＭＹの画像データに対して何も処理を行わず、当該画像データをそのまま黒生成／下色除去部１４へ引き渡す（スルーする）。
【０１５５】
黒生成／下色除去部１４は、フルカラーモードまたは２色カラーモードが選択されている場合、色補正部１３から出力されたＣＭＹの画像データから黒（Ｋ）の画像データを生成する黒生成を行う一方、元のＣＭＹの画像データから黒（Ｋ）の画像データを差し引いて新たなＣＭＹの画像データを生成する処理を行うブロックである。これにより、フルカラーモードまたは２色カラーモードが選択されている場合、図１５および図１６（ｂ）に示されるように、ＣＭＹの画像データは黒生成／下色除去部１４によってＣＭＹＫの４色の画像データに変換される。
【０１５６】
また、黒生成／下色除去部１４は、シングルカラーモードが選択されている場合、図１６（ａ）に示されるように、色補正部１３から出力されたＣＭＹの画像データに対して何も処理を行わず、当該画像データをそのまま後段の空間フィルタ部１５へ引き渡す（スルーする）。
【０１５７】
なお、フルカラーモードまたは２色カラーモードが選択されている場合、黒生成／下色除去部１４の出力、および、黒生成／下色除去部１４よりも後段の各ブロックの入出力は、図１５のように、ＣＭＹＫの画像データとなる。しかし、シングルカラーモードが選択されている場合、黒生成／下色除去部１４の出力、および、黒生成／下色除去部１４よりも後段の各ブロックの入出力は、図１５とは異なり、ＣＭＹの画像データとなる。
【０１５８】
空間フィルタ部１５は、黒生成／下色除去部１４より出力されるＣＭＹＫまたはＣＭＹの画像データに対して、領域分離信号（領域識別信号）を基にデジタルフィルタによる空間フィルタ処理（強調処理、平滑化処理等）を行っている。つまり、空間フィルタ部１５では、領域分離信号に基づいて、画像領域毎に異なる画像処理が実行される。
【０１５９】
変倍部１６は、操作パネル（不図示）を介して利用者によって入力される変倍コマンド（印刷画像の倍率を示した情報）に基づいて、画像の拡大や縮小処理を行うブロックである。
【０１６０】
出力階調補正部１７は、変倍部１６から出力された画像データに対して、用紙等の記録媒体に出力するための出力γ補正処理を行うブロックである。中間調生成部１８は、誤差拡散法やディザ法を用いて、画像出力装置１０３ａにおいて画像を印刷するために必要な階調再現処理（中間調生成処理）を実行するものである。
【０１６１】
そして、中間調生成部１８から出力されるＣＭＹＫまたはＣＭＹの画像データは画像出力装置１０３ａに引き渡され、画像出力装置１０３ａは、当該画像データの画像を記録媒体（例えば紙等）上に印刷する。
【０１６２】
（１−２）プレビュー表示時
つぎに、コピアモードにて印刷対象画像のプレビューを表示する場合に画像処理装置１０２の各ブロックにて実行される処理の内容を図１７に基づいて説明する。図１７は、図１５の複合機１００ａと同じ複合機１００ａを示すブロック図であり、コピアモード且つフルカラーモードにてプレビュー表示を行う際の画像データの流れを示した図である。
【０１６３】
なお、Ａ/Ｄ（アナログ/デジタル）変換部２、シェーディング補正部３、入力処理部４、原稿種別自動判別部５、領域分離処理部６、圧縮部７、領域分離信号圧縮部８、復号部９、画質調整部１１、２色化処理部１２の処理については、印刷処理時と同じであるため、以下ではその説明を省略する。
【０１６４】
領域分離信号復号部１０は、図１７に示すように、プレビュー表示時において、復号化した領域分離信号を空間フィルタ部１５および出力階調補正部１７に引き渡す。
【０１６５】
色補正部１３は、フルカラーモードにおいて、ＲＧＢの画像データを入力する。なお、ＲＧＢの画像データは、スキャナ（画像入力装置１０１）の色空間に適合しているデータである。そして、色補正部１３は、このＲＧＢの画像データを画像表示装置１０４の色空間に適合するＲ’Ｇ’Ｂ’の画像データへ変換する処理を行う。
【０１６６】
つまり、色補正部１３は、スキャナの画像読取特性に適合したＲＧＢの画像データを表示装置の表示特性に適合したＲ’Ｇ’Ｂ’の画像データに変換する処理を行っているのである。なお、ＲＧＢの画像データをＲ’Ｇ’Ｂ’の画像データに変換する処理も、入力値（ＲＧＢ）と出力値（Ｒ’Ｇ’Ｂ’）とを対応付けたＬＵＴを作成し、作成したＬＵＴから出力値をルックアップすることによって実現される。
【０１６７】
そして、本実施形態では、フルカラーモードにおいて、印刷処理時のＲＧＢの画像データからＣＭＹＫの画像データへの変換処理と、プレビュー表示時のＲＧＢの画像データからＲ’Ｇ’Ｂ’ の画像データへの変換処理とについて、画像処理回路を共用している。
【０１６８】
ここで、図１７は、図１５と同様、フルカラーモードが選択されている場合の複合機１００ａを示したものであり、色補正部１３は、フルカラーモードにおいて、ＲＧＢの画像データを入力するようになっている。しかし、シングルカラーモードまたは２色カラーモードでは、図１８（ａ）（ｂ）に示すように、色補正部１３はＣＭＹの画像データを入力するようになっている。なお、図１８（ａ）は、コピアモード且つシングルカラーモードにてプレビュー表示処理が行われる際の画像処理装置１０２の一部のブロックを示したものであり、図１８（ｂ）は、コピアモード且つ２色カラーモードにてプレビュー表示処理が行われる際の画像処理装置１０２の一部のブロックを示したものである。
【０１６９】
そして、色補正部１３は、シングルカラーモードまたは２色カラーモードでは、ＣＭＹの画像データをＲ’Ｇ’Ｂ’の画像データに変換する処理を行う。つまり、色補正部１３は、印刷処理の印刷特性に適合したＣＭＹの画像データを表示装置の表示特性に適合したＲ’Ｇ’Ｂ’の画像データに変換する処理を行っているのである。なお、ＣＭＹの画像データをＲ’Ｇ’Ｂ’の画像データに変換する処理も、入力値（ＣＭＹ）と出力値（Ｒ’Ｇ’Ｂ’）とを対応付けたＬＵＴを作成し、作成したＬＵＴから出力値をルックアップすることによって実現される。
【０１７０】
黒生成／下色除去部１４は、図１７および図１８に示すように、シングルカラーモード，２色カラーモード，フルカラーモードのいずれのモードであっても、色補正部１３から出力されたＲ’Ｇ’Ｂ’の画像データに対して何も処理を行わず、当該画像データをそのまま後段の空間フィルタ部１５へ引き渡す（スルーする）。
【０１７１】
空間フィルタ部１５は、黒生成／下色除去部１４より出力されたＲ’Ｇ’Ｂ’の画像データに対して、領域分離信号を基にデジタルフィルタによる空間フィルタ処理（強調処理、平滑化処理等）を行っている。つまり、空間フィルタ部１５では、印刷処理時と同様、領域分離信号に基づいて、画像領域毎に異なる画像処理が実行される。
【０１７２】
変倍部１６は、空間フィルタ部１５から出力されたＲ’Ｇ’Ｂ’の画像データからなる画像の画素数を画像表示装置１０４の画素数に変換する間引き処理（画素数を減少する処理）を行う。複合機１００ａの操作パネルに備えられる画像表示装置１０４は、印刷を行う画像データの解像度と比較すると低解像度であり、通常、極めて小型のディスプレイである。それゆえ、プレビュー表示時においては、画像データを間引く必要がある。また、変倍部１６では、複合機に備えられる操作パネル（不図示）より入力される変倍コマンド（表示倍率を示す情報、例えば２〜４倍等の固定倍率）に基づいて画像の拡大や縮小処理がなされる。
【０１７３】
出力階調補正部１７は、変倍部１６から出力されてきた画像データに対して、領域分離信号を基に出力γ補正処理を行っている。より具体的に説明すると、出力階調補正部１７は、領域分離信号を基に、画像領域に応じて異なるガンマ曲線を選択し、画像領域毎に出力γ補正処理の内容を異ならせている。例えば、文字以外の領域に対しては、画像表示装置１０４の表示特性に応じたガンマ曲線が選択され、文字領域に対しては、文字をくっきりと表示させるためのガンマ曲線が選択される。ここで、図１９（ａ）は、画像表示装置１０４の表示特性に応じたガンマ曲線である。また、図１９（ｂ）の実線で示される曲線は文字をくっきりと表示させるためのガンマ曲線である。なお、図１９（ｂ）の破線は、画像表示装置１０４の表示特性に応じたガンマ曲線であり、文字をくっきりと表示させるためのガンマ曲線と比較するために図示したものである。
【０１７４】
なお、本実施形態では、出力階調補正部１７は、領域分離信号に基づいてガンマ曲線の選択を行っているが、領域分離信号による選択を行わないで図１９（ａ）のガンマ曲線のみを用いて出力階調補正を行うようにしても良い。
【０１７５】
そして、中間調生成部１８は、出力階調補正部１７から出力されたＲ’Ｇ’Ｂ’の画像データに対して何も処理を行わず、当該画像データをそのまま後段の画像表示装置１０４へ引き渡す（スルーする）。これにより、画像表示装置１０４は、Ｒ’Ｇ’Ｂ’の画像データに基づいて、コピー対象となる画像のプレビューを表示できる。
【０１７６】
なお、出力階調補正部１７において実行されている出力γ補正処理は、画質調整部１１にて実行されてもよい。
【０１７７】
（１−３）各ブロックの動作/非動作について
以上のように、フルカラーモードの印刷時では、画質調整部１１〜中間調生成部１８のうち、２色化処理部１２は動作しないが、それ以外のブロックは全て動作することになる（図１５参照）。これに対し、フルカラーモードのプレビュー表示時では、画質調整部１１〜中間調生成部１８のうち、２色化処理部１２と黒生成／下色除去部１４と中間調生成部１８とは動作しないが、それ以外のブロックは全て動作することになる（図１７参照）。
【０１７８】
また、２色カラーモードの印刷時では、画質調整部１１〜中間調生成部１８のうち、色補正部１３は動作しないが、それ以外のブロックは全て動作することになる（図１６（ｂ）参照）。これに対し、２色カラーモードのプレビュー表示時では、画質調整部１１〜中間調生成部１８のうち、黒生成／下色除去部１４と中間調生成部１８とが動作しないが、それ以外のブロックは全て動作することになる（図１８（ｂ）参照）。
【０１７９】
さらに、シングルカラーモードの印刷時では、画質調整部１１〜中間調生成部１８のうち、２色化処理部１２と色補正部１３と黒生成／下色除去部１４とが動作しないが、それ以外のブロックは全て動作することになる（図１６（ａ）参照）。これに対し、シングルカラーモードのプレビュー表示時では、画質調整部１１〜中間調生成部１８のうち、２色化処理部１２と黒生成／下色除去部１４と中間調生成部１８とが動作しないが、それ以外のブロックは全て動作することになる（図１８（ａ）参照）。
【０１８０】
（２）イメージ送信モード
（２−１）送信処理時（画像送信ジョブ時）
イメージ送信モードの送信処理時にて複合機１００ａを動作させる場合、画像入力装置１０１、Ａ/Ｄ（アナログ/デジタル）変換部２、シェーディング補正部３、入力処理部４、原稿種別自動判別部５、領域分離処理部６、圧縮部７、領域分離信号圧縮部８、復号部９の処理内容は、コピアモードの場合と同じである。なお、領域分離信号復号部１０は空間フィルタ部１５および出力階調補正部１７に対して領域分離信号を供給している。
【０１８１】
そして、画質調整部１１にて下色除去やカラーバランス調整が行われ、色補正部１３において、一般に普及している表示装置の表示特性に適合したＲ”Ｇ”Ｂ”の画像データ（例えば、ｓＲＧＢデータ）に変換され、空間フィルタ部１５にて領域分離信号を基にデジタルフィルタによる空間フィルタ処理（強調処理，平滑化処理）が行われている。変倍部１６にて画像の拡大や縮小処理が行われる。また、出力階調補正部１７では、例えば、文字領域に対しては図１９（ｂ）のガンマ曲線を用いた補正が行われ、文字以外の領域に対しては図１９（ａ）のガンマ曲線を用いた補正が行われる。なお、２色化処理部１２、黒生成／下色除去部１４は、入力される画像データに対して処理を行わず、この画像データをそのまま後段のブロックにスルーする。したがって、出力階調補正部１７から出力されるのはＲ”Ｇ”Ｂ”の画像データである。
【０１８２】
さらに、出力階調補正部１７から出力されるＲ”Ｇ”Ｂ”の画像データは、図示しないフォーマット変換処理部にてＰＤＦファイル等の画像ファイルに変換され、当該画像ファイルは、図示しないメール処理部（ジョブ装置）にて電子メールに添付され、当該電子メールがネットワークを介して相手先に送信されることになる。
【０１８３】
（２−２）プレビュー表示時
イメージ送信モードのプレビュー表示時にて複合機１００ａを動作させる場合、画像入力装置１０１、Ａ/Ｄ（アナログ/デジタル）変換部２、シェーディング補正部３、入力処理部４、原稿種別自動判別部５、領域分離処理部６、圧縮部７、領域分離信号圧縮部８、復号部９、領域分離信号復号部１０、画質調整部１１、２色化処理部１２の処理内容は、イメージ送信モードの送信時と共通である。
【０１８４】
そして、イメージ送信モードのプレビュー表示時において、色補正部１３は、ＲＧＢの画像データを画像表示装置１０４の色空間に適合するＲ’Ｇ’Ｂ’の画像データへ変換する処理を行う。
【０１８５】
その後、送信時と同様、空間フィルタ部１５にて領域分離信号を基にデジタルフィルタによる空間フィルタ処理（強調処理，平滑化処理）が行われている。変倍部１６にて画像表示装置１０４のサイズに適合するように間引き処理が行われる。また、出力階調補正部１７では、例えば、文字領域に対しては図１９（ｂ）のガンマ曲線を用いた補正が行われ、文字以外の領域に対しては図１９（ａ）のガンマ曲線を用いた補正が行われる。
【０１８６】
そして、出力階調補正部１７から出力されるＲ’Ｇ’Ｂ’の画像データは画像表示装置１０４に供給され、画像表示装置１０４はＲ’Ｇ’Ｂ’の画像データに基づいてプレビュー表示を行う。
【０１８７】
〔実施の形態７〕
本発明の構成は図２０に示すような画像読取装置３００にも適用可能である。以下では、本発明が適用される画像読取装置（フラットベッドスキャナ）について説明する。
【０１８８】
図２０は、本発明の一実施形態の画像読取装置３００を示したブロック図である。図２０に示すように、画像読取装置３００は、画像入力装置（カラー画像入力装置）１０１ｂと、画像処理装置（カラー画像処理装置）１０２ｂとを有している。
【０１８９】
図２０に示すように、画像処理装置１０２ｂは、Ａ／Ｄ変換部、シェーディング補正部、入力処理部、色補正部、出力階調処理部から構成されている。また、画像入力装置１０１ｂは、図１の画像入力装置１０１と同様のものである。なお、図２０では省略されているが、画像読取装置３００においても、図１の制御部１０８、記憶装置１０７、画像表示装置１０４と同様の装置が備えられている。
【０１９０】
画像入力装置１０１ｂにて原稿が読み取られると、画像信号が、画像処理装置１０２内を、Ａ／Ｄ変換部、シェーディング補正部、入力処理部、色補正部、出力階調補正部の順で送られる。
【０１９１】
Ａ／Ｄ（アナログ・デジタル）変換部は、画像入力装置から送られてきたカラー画像信号（ＲＧＢアナログ信号）をデジタルの画像データ（ＲＧＢデジタル信号）に変換するブロックである。シェーディング補正部は、Ａ／Ｄ変換部から送られてきた画像データに対して、画像入力装置の照明系、結像系、撮像系で生じる各種の歪みを取り除く処理を施すブロックである。入力処理部は、シェーディング補正部より送られてくるＲＧＢの画像データのそれぞれに対してγ補正処理などの階調変換処理を施すブロックである。色補正部は、イメージ送信モードが選択されているとき、ＲＧＢの画像データを、一般に普及している表示装置の表示特性に適合したＲ”Ｇ”Ｂ”の画像データ（例えば、ｓＲＧＢデータ）に変換する。また、読み込まれた両面原稿の１頁目、あるいは、１頁および２頁目の画像データのプレビュー表示を行う場合は、ＲＧＢの画像データを画像表示装置の色空間に適合するＲ’Ｇ’Ｂ’の画像データへ変換する処理を行う。出力階調補正部は、色補正部より出力されたＲ”Ｇ”Ｂ”の画像データ、または、Ｒ’Ｇ’Ｂ’の画像データに対して、例えば、図１９（ａ）のガンマ曲線を用いた出力階調補正処理を行う。
【０１９２】
画像処理装置１０２ｂにて処理が施された画像データは一旦記憶装置１０７に保存される。その後、当該画像データは、頁番号認定部２００にて頁番号が決定された後、図示しないフォーマット変換部に送られ、所定のフォーマットの画像ファイルに変換される。そして、この画像ファイルは、ネットワークを介して、電子メールに添付されて指定されたアドレスへ、あるいは、ユーザにより指定されたフォルダに送信される。
【０１９３】
〔画像入力装置について〕
図２は、図１の画像入力装置（本読取装置）１０１の構成を示す説明図である。図２に示すように、画像入力装置１０１は、下部筐体２０３、上部筐体２０２、排紙トレイ２３３から構成されている。画像入力装置１０１では、原稿を静止させて画像を読み取る静止読取モード、原稿を搬送させながら画像を読み取る走行読取モード、あるいは、原稿を搬送させながら、原稿における両面の画像を読み取る両面モードで、原稿に対する画像読み取りを行えるようになっている。これらのモード（読取モード）は複合機１００に備えられる操作パネル（液晶ディスプレイよりなる表示装置と設定を行うボタンなどより構成）より入力される。例えば、原稿セットトレイ１２２に原稿がセットされた状態（原稿セット検出センサで原稿が検知された状態）で、スタートキーが押された時は、走行読取モードで読み取るように設定しておき、両面モードで読み取る際は、上記操作パネルより設定を行う。また、原稿セットトレイ１２２に原稿がセットされていない状態（原稿セット検出センサで原稿が検知されない状態）で、スタートキーが押された時は、静止読取モードで読み取りを行う方法等が挙げられる。
【０１９４】
そして、静止読取モードでは下部筐体２０３内の第１読取部１１０によって画像を読み取る。また、走行読取モードの片面モード時は、下部筐体２０３内の第１読取部１１０によって画像読み取りを行うようになっている。また、走行読取モードの両面モードでは、第１読取部１１０および第２読取部１２３の双方を同時に用いるように設定されている。
【０１９５】
図２に示すように、下部筐体２０３は、第１読取部１１０と第１コンタクトガラス１１１とから構成されている。そして、図２に示すように、第１読取部１１０は、第１走査ユニット１１２・第２走査ユニット１１３・結像レンズ１１４・ＣＣＤ（Charge Coupled Device）１１５・第２コンタクトガラス１１６を備えている。
【０１９６】
第２コンタクトガラス１１６は、静止読取モードで読み取る原稿を載置するための台であり、第１走査ユニット１１２は、第１コンタクトガラス１１１に沿って左から右に一定速度Ｖで移動しながら、原稿を露光するものである。そして、第１走査ユニット１１２は、光源（露光ランプ）１５０と、原稿の反射光を第２走査ユニット１１３に導く第１反射ミラー１５１とを有している。
【０１９７】
第２走査ユニット１１３は、第１走査ユニット１１２に追随してＶ／２の速度で移動するようになっており、第１反射ミラー１５１からの光を結像レンズ１１４・ＣＣＤ１１５に導く第２・第３反射ミラー１５２・１５３を備えている。
【０１９８】
結像レンズ１１４は、第３反射ミラー１５３からの反射光を、ＣＣＤ１１５上で結像させるものである。ＣＣＤ１１５は、結像レンズ１１４からの光を電気信号（アナログの画像データ）に変換するものである。なお、この電気信号は、画像処理装置によってデジタルの画像データに変換される。
【０１９９】
また、この第１読取部１１０は、第１コンタクトガラス１１１上に載置された原稿の読み取りに加えて、後述するように、上部筐体２０２の部材によって搬送されている原稿の画像を読み取る機能も有している。
【０２００】
また、第１コンタクトガラス１１１上の原稿を読み取る際には、第１走査ユニット１１２は、図２のＰｏｓ１の位置からＰｏｓ２の位置の方向に、原稿サイズ検出手段で検出された原稿サイズに応じて所定距離だけ移動するようになっている。一方、搬送されている原稿を読み取る際には、図２のＰｏｓ３の位置に停止している。また、使用されていない待機中には、図２のＰｏｓ１の位置とＰｏｓ３の位置との中間のＰｏｓ０（図示せず）の位置（ホームポジション）に、停止している。
【０２０１】
また、第１コンタクトガラス１１１の端部前側には、原稿基準板（不図示）が備えられており、第１コンタクトガラス１１１に載置する原稿のサイズ・載置方向を示す指標が示されている。従って、ユーザは、この指標に従って、第１コンタクトガラス１１１に原稿を容易に載置できる。
【０２０２】
第２読取部１２３は、原稿セットトレイ１２２に載置された原稿の画像を読み取るためのものであり、原稿搬送部１３１・イメージセンサ部１３２・原稿搬送路１３３・原稿排出部１３４を備えている。
【０２０３】
原稿搬送部１３１は、原稿セットトレイ１２２に載置された原稿を取り入れ、原稿搬送路１３３上を搬送させるものである。イメージセンサ部１３２は、搬送されている原稿の画像を読み取るものである。原稿排出部１３４は、イメージセンサ部１３２によって画像を読み取られた後の原稿を、排紙トレイ２３３に排出するものである。
【０２０４】
原稿搬送部１３１は、給送補助ローラ１６１・原稿セット検出センサ１６２・原稿抑え板１６３・摩擦パッド１６４・給送タイミングセンサ１６５・給送ローラ１６６・整合ローラ対１６７を備えている。
【０２０５】
給送補助ローラ１６１および原稿抑え板１６３は、原稿セット検出センサ１６２に検知された原稿を、第２読取部１２３内部に引き入れるものである。摩擦パッド１６４・給送ローラ１６６および整合ローラ対１６７は、給送タイミングセンサ１６５の検知結果に基づいて、引き込まれた原稿を１枚毎にイメージセンサ部１３２に導くものである。
【０２０６】
なお、整合ローラ対１６７は、その駆動軸に電磁クラッチ（図示せず）を備えており、駆動モータ（図示せず）からの駆動力の伝達を制御できるようになっており、原稿のない状態では停止している。そして、原稿の先端が給送タイミングセンサ１６５に接触し、このセンサから所定の信号が伝達されたときに、原稿を下流側に搬送する方向に回動するように設定されている。整合ローラ対１６７は、停止した状態で、摩擦パッド１６４及び給送ローラ１６６により上流側より搬送された原稿の先端が、整合ローラ対１６７のニップ部に付き当たり、原稿に所定の撓みを形成した後に、下流側に原稿を搬送するように回動する。この際に、整合ローラ対１６７のニップ部により、原稿の先端が搬送方向に直角となるように整合される。さらに、整合ローラ対１６７は、第２コンタクトガラス１１６との間で、原稿搬送路１３３の一部を形成している。
【０２０７】
原稿排出部１３４は、原稿排出ローラ対１６９および原稿排出センサ１５９を備えている。原稿排出ローラ対１６９の上側ローラは、駆動側のローラであり、上部筐体２０２の左側部に一体的に設けられて、上部筐体２０２中の駆動機構により駆動されている。原稿排出ローラ対１６９の上側ローラは、下部筐体２０３側に回転自在に設けられた原稿排出ローラ対１６９の下側ローラ（従動ローラ）とで、原稿搬送路１３３を通った原稿を、挟持搬送して、排紙トレイ２３３上に排出する機能を有している。
【０２０８】
また、原稿排出センサ１５９は、原稿排出ローラ対１６９の下流側に配置されており、原稿の排出を、不図示の読取制御部に伝達するものである。
【０２０９】
イメージセンサ部（ＣＩＳ：Contact Image Sensor）１３２は、上部筐体２０２に設けられており、原稿搬送路１３３を走行する原稿における上側の画像を読み取るためものである。
【０２１０】
次に、画像入力装置１０１における読み取り処理について説明する。静止読取モード時では、片面モードだけが選択可能となり、第１読取部１１０だけが原稿の読み取りに用いられる。このとき、第１読取部１１０の第１走査ユニット１１２は、まずホームポジション（図２のＰｏｓ３とＰｏｓ１との間である）に配置される。そして、読取制御部の指示に応じて、Ｐｏｓ１の位置から第１コンタクトガラス１１１上に載置された原稿を走査しながら、第２走査ユニット１１３とともにＰｏｓ２側に移動する。これにより、ＣＣＤ１１５に、原稿画像に応じた反射光を受光させることが可能となる。このように、第１読取部１１０は、静止した原稿の下側の面（表面）に形成されている画像を読み取ることとなる。
【０２１１】
走行読取モード時では、片面モードと両面モードの両方が選択可能となる。走行読取モードの片面モード時には、第１読取部１１０だけが原稿の読み取りに用いられる。このモードの指示があると、第１読取部１１０の第１走査ユニット１１２は、ホームポジションの位置からＰｏｓ３の位置に移動して停止し、そのまま停止状態を保持して、走行する原稿の読み取りを行う。そして、読取制御部の指示に応じて、ＣＣＤ１１５が、第２コンタクトガラス１１６を介して、原稿搬送路１３３を搬送される原稿の画像を下側から読み取る。すなわち、第１読取部１１０は、原稿の下側の面（表面）に形成されている画像を読み取ることとなる。
【０２１２】
走行読取モードの両面モード時には、第１読取部１１０および第２読取部１２３の双方が原稿の読み取りに用いられる。このとき、第１読取部１１０の第１走査ユニット１１２は、走行読取モードの片面モード時と同様に、図１１中のＰｏｓ３の位置に停止される。
【０２１３】
そして、読取制御部の指示に応じて、第１読取部１１０が、第２コンタクトガラス１１６を介して、原稿搬送路１３３を搬送される原稿の画像を下側から読み取る。また、同様に、第２読取部１２３のイメージセンサ部１３２が、搬送される原稿の上側の面（裏面）に形成されている画像を上側から読み取る。
【０２１４】
このように、画像入力装置１０１における両面モードでは、第１読取部１１０および第２読取部１２３が、搬送原稿の表裏両面の画像を、上下方向から一度に読み取ることとなる。
【０２１５】
〔プログラムについて〕
本発明はコンピュータに実行させるためのプログラムを記録したコンピュータ読み取り可能な記録媒体に、図１の頁番号認定部２００および表示制御部２０１にて実行される処理を示すプログラムを記録するものとすることもできる。この結果、上記処理を行うプログラムコード（実行形式プログラム、中間コードプログラム、ソースプログラム）を記録した記録媒体を持ち運び自在に提供することができる。
【０２１６】
なお、本実施の形態では、この記録媒体としては、マイクロコンピュータで処理が行われるために図示していないメモリ、例えばＲＯＭのようなものそのものがプログラムメディアであっても良いし、また、図示していないが外部記憶装置としてプログラム読み取り装置が設けられ、そこに記録媒体を挿入することで読み取り可能なプログラムメディアであっても良い。
【０２１７】
いずれの場合においても、格納されているプログラムはマイクロプロセッサがアクセスして実行させる構成であっても良いし、あるいは、いずれの場合もプログラムコードを読み出し、読み出されたプログラムコードは、マイクロコンピュータの図示されていないプログラム記憶エリアにダウンロードされて、そのプログラムが実行される方式であってもよい。このダウンロード用のプログラムは予め本体装置に格納されているものとする。ここで、上記プログラムメディアは、本体と分離可能に構成される記録媒体であり、磁気テープやカセットテープ等のテープ系、フレキシブルディスクやハードディスク等の磁気ディスクやＣＤ−ＲＯＭ／ＭＯ／ＭＤ／ＤＶＤ等の光ディスクのディスク系、ＩＣカード（メモリカードを含む）／光カード等のカード系、あるいはマスクＲＯＭ、ＥＰＲＯＭ（Erasable Programmable Read Only Memory）、ＥＥＰＲＯＭ（Electrically Erasable Programmable Read Only Memory）、フラッシュＲＯＭ等による半導体メモリを含めた固定的にプログラムコードを担持する媒体であっても良い。
【０２１８】
また、本実施の形態においては、インターネットを含む通信ネットワークを接続可能なシステム構成であることから、通信ネットワークからプログラムコードをダウンロードするように流動的にプログラムコードを担持する媒体であっても良い。なお、このように通信ネットワークからプログラムをダウンロードする場合には、そのダウンロード用のプログラムは予め本体装置に格納しておくか、あるいは別な記録媒体からインストールされるものであっても良い。なお、本発明は、上記プログラムコードが電子的な伝送で具現化された、搬送波に埋め込まれたコンピュータデータ信号の形態でも実現され得る。上記記録媒体は、デジタルカラー複合機やコンピュータシステムに備えられるプログラム読み取り装置により読み取られることで上述した処理が実行される。
【０２１９】
本発明は上述した各実施形態に限定されるものではなく、請求項に示した範囲で種々の変更が可能であり、上述した実施形態において開示された各技術的手段を適宜組み合わせて得られる実施形態についても本発明の技術的範囲に含まれる。
【産業上の利用可能性】
【０２２０】
本発明の画像読取装置は、複合機、複写機、ファクシミリ装置、スキャナ専用機に好適である。
【図面の簡単な説明】
【０２２１】
【図１】本発明の一実施形態である複合機の概略構成を示したブロック図である。
【図２】図１に示される画像入力装置の内部構成を示した模式図である。
【図３】複数の原稿の組が正しい積載順序でトレイに積載された場合において、読み取られた各画像と各画像に対応付けられるインデックスの番号との関係を示した図である。
【図４】複数の原稿の組が誤った積載順序でトレイに積載された場合において、読み取られた各画像と各画像に対応付けられるインデックスの番号との関係を示した図である。
【図５】順序補正コマンドの入力が可能であることを利用者に通知するコマンド入力用画像を示す図である。
【図６】実施の形態１において実行されるイメージ送信処理の流れを示したフローチャートである。
【図７】実施の形態２において実行されるイメージ送信処理の流れを示したフローチャートである。
【図８】実施の形態３において実行されるイメージ送信処理の流れを示したフローチャートである。
【図９】実施の形態４において実行されるイメージ送信処理の流れを示したフローチャートである。
【図１０】「特別機能ボタン」が示されている機能設定用画像を示す図である。
【図１１】利用者に対して順序補正コマンドの入力を促すコマンド入力用画像であり、図５のコマンド入力用画像とは異なる形態のコマンド入力用画像を示す図である。
【図１２】「プレビュー確認」ボタンが示されている機能設定用画像を示す図である。
【図１３】画像表示装置にて表示されているプレビュー画像とコマンド入力用画像とを示した図である。
【図１４】片面読取方式のスキャナが採用されている場合であって、且つ、正しい積載順序とは逆の積載順序にて前記した４枚の原稿の組が原稿セットトレイ１２２に積載された場合において、読み取られた各画像とインデックスの番号との対応関係を示した図である。
【図１５】実施の形態６の複合機を示したブロック図であり、コピアモード且つフルカラーモードにて印刷処理を行う際の画像データの流れを示したブロック図である。
【図１６】（ａ）は、実施の形態６において、コピアモード且つシングルカラーモードにて印刷処理が行われる際の画像処理装置内の一部を示したブロック図である。（ｂ）は、実施の形態６において、コピアモード且つ２色カラーモードにて印刷処理が行われる際の画像処理装置内の一部を示したブロック図である。
【図１７】実施の形態６の複合機を示したブロック図であり、コピアモード且つフルカラーモードにてプレビュー表示処理を行う際の画像データの流れを示したブロック図である。
【図１８】（ａ）は、実施の形態６において、コピアモード且つシングルカラーモードにてプレビュー表示が行われる際の画像処理装置内の一部を示したブロック図である。（ｂ）は、実施の形態６において、コピアモード且つ２色カラーモードにてプレビュー表示が行われる際の画像処理装置内の一部を示したブロック図である。
【図１９】（ａ）は、画像表示装置の表示特性に応じたガンマ曲線の一例を示した図である。（ｂ）は、文字をくっきりと表示させるためのガンマ曲線を実線で示し、画像表示装置の表示特性に応じたガンマ曲線を破線で示した図である。
【図２０】実施の形態６の画像形成装置を示したブロック図である。
【符号の説明】
【０２２２】
１００  複合機（画像形成装置、画像読取装置）
１０１  画像入力装置
１０４  画像表示装置（表示装置）
１０７  記憶装置
１０８  制御部
２００  頁番号認定部（順序決定部）
２０１  表示制御部
３００  画像読取装置
【図１】
2010124215.tif 000005
【図２】
2010124215.tif 000006
【図３】
2010124215.tif 000007
【図４】
2010124215.tif 000008
【図５】
2010124215.tif 000009
【図６】
2010124215.tif 000010
【図７】
2010124215.tif 000011
【図８】
2010124215.tif 000012
【図９】
2010124215.tif 000013
【図１０】
2010124215.tif 000014
【図１１】
2010124215.tif 000015
【図１２】
2010124215.tif 000016
【図１３】
2010124215.tif 000017
【図１４】
2010124215.tif 000018
【図１５】
2010124215.tif 000019
【図１６】
2010124215.tif 000020
【図１７】
2010124215.tif 000021
【図１８】
2010124215.tif 000022
【図１９】
2010124215.tif 000023
【図２０】
2010124215.tif 000024